(57)【特許請求の範囲】
【請求項１】
個人の手元で使用される情報入力装置に対する入力に基づいて当該情報入力装置の表示画面上に作成された表示オブジェクトを前記情報入力装置から取得するオブジェクト取得部と、
複数人で閲覧する際の共有表示装置の表示画面から該表示画面を閲覧する人までの距離情報を取得する距離情報取得部と、
前記情報入力装置の表示画面上での任意の表示オブジェクトの表示サイズに対する前記共有表示装置の表示画面上での該任意の表示オブジェクトの表示サイズの比率を、前記距離情報に応じて決定する表示比率決定部と、
前記オブジェクト取得部で取得した表示オブジェクトを前記表示比率決定部で決定した比率で前記共有表示装置の表示画面に表示させるためのデータを作成し、該データを前記共有表示装置に送信する表示データ送信部と、
を備え、
前記距離情報取得部は、
前記共有表示装置に設けられた異なる複数の測定箇所から、それぞれ一番離れた位置で該共有表示装置の表示画面を閲覧している人までの距離情報を取得して、取得した該それぞれ一番離れた距離情報に基づいて、前記異なる複数の測定箇所それぞれにおける前記比率を前記表示比率決定部に決定させ、
前記表示データ送信部は、
前記共有表示装置の表示画面に任意の表示オブジェクトを表示する際に、任意の表示オブジェクトが表示される位置に最も近い測定箇所の前記比率で、該任意の表示オブジェクトを表示させるためのデータを作成し、該データを前記共有表示装置に送信する
ことを特徴とするデータ加工送信装置。
【請求項２】
個人の手元で使用される情報入力装置に対する入力に基づいて当該情報入力装置の表示画面上に作成された表示オブジェクトを前記情報入力装置から取得するオブジェクト取得部と、
複数人で閲覧する際の共有表示装置の表示画面から前記情報入力装置までの距離情報を取得する距離情報取得部と、
前記情報入力装置の表示画面上での任意の表示オブジェクトの表示サイズに対する前記共有表示装置の表示画面上での該任意の表示オブジェクトの表示サイズの比率を、前記距離情報に応じて決定する表示比率決定部と、
前記オブジェクト取得部で取得した表示オブジェクトを前記表示比率決定部で決定した比率で前記共有表示装置の表示画面に表示させるためのデータを作成し、該データを前記共有表示装置に送信する表示データ送信部と、
を備えることを特徴とするデータ加工送信装置。
【請求項３】
前記距離情報取得部は、
前記共有表示装置の表示画面から一番離れた前記情報入力装置までの距離情報を取得する
ことを特徴とする請求項２に記載のデータ加工送信装置。
【請求項４】
前記距離情報取得部は、
前記共有表示装置の表示画面を複数人で閲覧する場合、該表示画面を閲覧している人々の平均距離情報を取得する
ことを特徴とする請求項２または３に記載のデータ加工送信装置。
【請求項５】
前記距離情報取得部は、
前記共有表示装置に異なる複数の測定箇所が設けられ、該表示画面を閲覧する人と該表示画面との距離情報を、前記異なる複数の測定箇所からそれぞれ取得して、その中で最長の距離情報に基づいて、前記表示比率決定部に前記比率を決定させる
ことを特徴とする請求項２乃至４のいずれか１項に記載のデータ加工送信装置。
【請求項６】
前記距離情報取得部は、
前記共有表示装置に設けられた異なる複数の測定箇所から、それぞれ一番離れた位置で該共有表示装置の表示画面を閲覧している人までの距離情報を取得して、取得した該それぞれ一番離れた距離情報に基づいて、前記異なる複数の測定箇所それぞれにおける前記比率を前記表示比率決定部に決定させ、
前記表示データ送信部は、
前記共有表示装置の表示画面に任意の表示オブジェクトを表示する際に、任意の表示オブジェクトが表示される位置に最も近い測定箇所の前記比率で、該任意の表示オブジェクトを表示させるためのデータを作成し、該データを前記共有表示装置に送信する
ことを特徴とする請求項５に記載のデータ加工送信装置。
【請求項７】
前記距離情報取得部は、
前記情報入力装置を操作するユーザから該情報入力装置までのユーザ距離情報を取得し、
前記表示比率決定部は、
前記距離情報取得部で取得したユーザ距離情報の示す距離と前記距離情報の示す距離の比に基づいて、前記情報入力装置の表示画面上での任意の表示オブジェクトの表示サイズに対する前記共有表示装置の表示画面上での該任意の表示オブジェクトの表示サイズの比率を決定する
ことを特徴とする請求項２乃至６のいずれか１項に記載のデータ加工送信装置。
【請求項８】
前記表示比率決定部は、
前記オブジェクト取得部で取得した表示オブジェクトの中から文字データを判別し、その判別された文字データについて前記情報入力装置の表示画面上での文字サイズに対する前記共有表示装置の表示画面上での文字サイズの比率を前記距離情報に応じて決定し、
前記表示データ送信部は、
前記オブジェクト取得部で取得した表示オブジェクトの中の文字データのみを前記表示比率決定部で決定した前記比率で前記共有表示装置の表示画面に表示させるためのデータを作成し、該データを前記共有表示装置に送信する
ことを特徴とする請求項２乃至７のいずれか１項に記載のデータ加工送信装置。
【請求項９】
前記表示比率決定部は、
前記オブジェクト取得部で取得した表示オブジェクトの中から文字データを判別し、その判別された文字データについて前記情報入力装置の表示画面上での表示サイズに対する前記共有表示装置の表示画面上での表示サイズの比率を前記距離情報に応じて決定し、
前記表示データ送信部は、
前記オブジェクト取得部で取得した表示オブジェクト全体を前記表示比率決定部で決定した前記比率で前記共有表示装置の表示画面に表示させるためのデータを作成し、該データを前記共有表示装置に送信する
ことを特徴とする請求項２乃至８のいずれか１項に記載のデータ加工送信装置。
【請求項１０】
前記表示比率決定部は、
前記共有表示装置の表示画面に表示される文字のサイズを前記距離情報の示す距離に対応した文字サイズに決定し、前記表示オブジェクトの中の文字のサイズが、決定した該文字サイズとなる大きさで前記表示画面に該表示オブジェクトを表示させるためのデータを、前記表示データ送信部に作成させる
ことを特徴とする請求項２乃至９のいずれか１項に記載のデータ加工送信装置。
【請求項１１】
前記表示データ送信部は、
作成した前記データを前記共有表示装置に送信して任意の表示オブジェクトを表示させ、前記情報入力装置ごとに、その情報入力装置が前記共有表示装置に表示させた表示オブジェクトを拡大または縮小するための指示を、前記情報入力装置を操作するユーザから受け付ける
ことを特徴とする請求項２乃至１０のいずれか１項に記載のデータ加工送信装置。
【請求項１２】
個人の手元で使用される情報入力装置に対する入力に基づいて当該情報入力装置の表示画面上に作成された表示オブジェクトを前記情報入力装置から取得するオブジェクト取得部と、
複数人で閲覧する際の共有表示装置の表示画面から該表示画面を閲覧する人までの距離情報と、前記情報入力装置を操作するユーザから該情報入力装置までのユーザ距離情報を取得する距離情報取得部と、
前記情報入力装置の表示画面上での任意の表示オブジェクトの表示サイズに対する前記共有表示装置の表示画面上での該任意の表示オブジェクトの表示サイズの比率を、前記距離情報取得部で取得したユーザ距離情報の示す距離と前記距離情報の示す距離の比に基づいて決定する表示比率決定部と、
前記オブジェクト取得部で取得した表示オブジェクトを前記表示比率決定部で決定した比率で前記共有表示装置の表示画面に表示させるためのデータを作成し、該データを前記共有表示装置に送信する表示データ送信部と、
を備えることを特徴とするデータ加工送信装置。
【請求項１３】
個人の手元で使用される情報入力装置に対する入力に基づいて当該情報入力装置の表示画面上に作成された表示オブジェクトを前記情報入力装置から取得するオブジェクト取得部と、
複数人で閲覧する際の共有表示装置の表示画面から該表示画面を閲覧する人までの距離情報を取得する距離情報取得部と、
前記オブジェクト取得部で取得した表示オブジェクトの中から文字データを判別し、その判別された文字データについて前記情報入力装置の表示画面上での文字サイズに対する前記共有表示装置の表示画面上での文字サイズの比率を、前記文字データの前記情報入力装置の表示画面上での表示サイズと前記距離情報とに応じて決定する表示比率決定部と、
前記オブジェクト取得部で取得した表示オブジェクトの中の文字データのみを前記表示比率決定部で決定した比率で前記共有表示装置の表示画面に表示させるためのデータを作成し、該データを前記共有表示装置に送信する表示データ送信部と、
を備えることを特徴とするデータ加工送信装置。
【請求項１４】
個人の手元で使用される情報入力装置に対する入力に基づいて当該情報入力装置の表示画面上に作成された表示オブジェクトを前記情報入力装置から取得するオブジェクト取得部と、
複数人で閲覧する際の共有表示装置の表示画面から該表示画面を閲覧する人までの距離情報を取得する距離情報取得部と、
前記オブジェクト取得部で取得した表示オブジェクトの中から文字データを判別し、その判別された文字データについて前記情報入力装置の表示画面上での表示サイズに対する前記共有表示装置の表示画面上での表示サイズの比率を、前記文字データの前記情報入力装置の表示画面上での表示サイズと前記距離情報とに応じて決定する表示比率決定部と、
前記オブジェクト取得部で取得した表示オブジェクト全体を前記表示比率決定部で決定した比率で前記共有表示装置の表示画面に表示させるためのデータを作成し、該データを前記共有表示装置に送信する表示データ送信部と、
を備えることを特徴とするデータ加工送信装置。
【請求項１５】
個人の手元で使用される情報入力装置に対する入力に基づいて当該情報入力装置の表示画面上に作成された表示オブジェクトを前記情報入力装置から取得するオブジェクト取得部と、
複数人で閲覧する際の共有表示装置の表示画面から該表示画面を閲覧する人までの距離情報を取得する距離情報取得部と、
前記オブジェクト取得部で取得した表示オブジェクトの中から文字データを判別し、前記情報入力装置の表示画面上での任意の表示オブジェクトの表示サイズに対する前記共有表示装置の表示画面上での該任意の表示オブジェクトの表示サイズの比率を、前記文字データの前記情報入力装置の表示画面上での表示サイズと前記距離情報とに応じて決定する表示比率決定部と、
前記オブジェクト取得部で取得した表示オブジェクトを前記表示比率決定部で決定した比率で前記共有表示装置の表示画面に表示させるためのデータを作成し、該データを前記共有表示装置に送信する表示データ送信部と、
を備え、
前記表示比率決定部は、
前記共有表示装置の表示画面に表示される文字のサイズを前記距離情報の示す距離に対応した文字サイズに決定し、前記情報入力装置の表示画面上での前記表示オブジェクトの中の文字のサイズが、決定した該文字サイズになるように前記比率を決定する
ことを特徴とするデータ加工送信装置。
【請求項１６】
前記表示データ送信部は、
作成した前記データを前記共有表示装置に送信して任意の表示オブジェクトを表示させ、前記情報入力装置ごとに、その情報入力装置が前記共有表示装置に表示させた表示オブジェクトを拡大または縮小するための指示を、前記情報入力装置を操作するユーザから受け付ける
ことを特徴とする請求項１２乃至１５のいずれか１項に記載のデータ加工送信装置。
【請求項１７】
前記距離情報取得部は、
前記共有表示装置の表示画面から一番離れた位置で該表示画面を閲覧する人までの距離情報を取得する
ことを特徴とする請求項１２乃至１６のいずれか１項に記載のデータ加工送信装置。
【請求項１８】
前記距離情報取得部は、
前記共有表示装置の表示画面を複数人で閲覧する場合、該表示画面を閲覧している人々の平均距離情報を取得する
ことを特徴とする請求項１２乃至１７のいずれか１項に記載のデータ加工送信装置。
【請求項１９】
前記距離情報取得部は、
前記共有表示装置に異なる複数の測定箇所が設けられ、該表示画面を閲覧する人と該表示画面との距離情報を、前記異なる複数の測定箇所からそれぞれ取得して、その中で最長の距離情報に基づいて、前記表示比率決定部に前記比率を決定させる
ことを特徴とする請求項１２乃至１８のいずれか１項に記載のデータ加工送信装置。
【請求項２０】
前記距離情報取得部は、
前記共有表示装置に設けられた異なる複数の測定箇所から、それぞれ一番離れた位置で該共有表示装置の表示画面を閲覧している人までの距離情報を取得して、取得した該それぞれ一番離れた距離情報に基づいて、前記異なる複数の測定箇所それぞれにおける前記比率を前記表示比率決定部に決定させ、
前記表示データ送信部は、
前記共有表示装置の表示画面に任意の表示オブジェクトを表示する際に、任意の表示オブジェクトが表示される位置に最も近い測定箇所の前記比率で、該任意の表示オブジェクトを表示させるためのデータを作成し、該データを前記共有表示装置に送信する
ことを特徴とする請求項１２乃至１９のいずれか１項に記載のデータ加工送信装置。
【請求項２１】
個人の手元で使用される情報入力装置に対する入力に基づいて当該情報入力装置の表示画面上に作成された表示オブジェクトを前記情報入力装置から取得するオブジェクト取得部と、
複数人で閲覧する際の共有表示装置の表示画面から該表示画面を閲覧する人までの距離情報を取得する距離情報取得部と、
前記オブジェクト取得部で取得した表示オブジェクトの中から文字データを判別し、その判別された文字データについて前記情報入力装置の表示画面上での文字サイズに対する前記共有表示装置の表示画面上での文字サイズの比率を、前記距離情報に応じて決定する表示比率決定部と、
前記オブジェクト取得部で取得した表示オブジェクトの中の文字データのみを前記表示比率決定部で決定した比率で前記共有表示装置の表示画面に表示させるためのデータを作成し、該データを前記共有表示装置に送信する表示データ送信部と、
を備え、
前記距離情報取得部は、
前記共有表示装置に設けられた異なる複数の測定箇所から、それぞれ一番離れた位置で該共有表示装置の表示画面を閲覧している人までの距離情報を取得して、取得した該それぞれ一番離れた距離情報に基づいて、前記異なる複数の測定箇所それぞれにおける前記比率を前記表示比率決定部に決定させ、
前記表示データ送信部は、
前記共有表示装置の表示画面に任意の表示オブジェクトを表示する際に、任意の表示オブジェクトが表示される位置に最も近い測定箇所の前記比率で、該任意の表示オブジェクトを表示させるためのデータを作成し、該データを前記共有表示装置に送信する
ことを特徴とするデータ加工送信装置。
【請求項２２】
個人の手元で使用される情報入力装置に対する入力に基づいて当該情報入力装置の表示画面上に作成された表示オブジェクトを前記情報入力装置から取得するオブジェクト取得部と、
複数人で閲覧する際の共有表示装置の表示画面から該表示画面を閲覧する人までの距離情報を取得する距離情報取得部と、
前記オブジェクト取得部で取得した表示オブジェクトの中から文字データを判別し、その判別された文字データについて前記情報入力装置の表示画面上での表示サイズに対する前記共有表示装置の表示画面上での表示サイズの比率を、前記距離情報に応じて決定する表示比率決定部と、
前記オブジェクト取得部で取得した表示オブジェクト全体を前記表示比率決定部で決定した比率で前記共有表示装置の表示画面に表示させるためのデータを作成し、該データを前記共有表示装置に送信する表示データ送信部と、
を備え、
前記距離情報取得部は、
前記共有表示装置に設けられた異なる複数の測定箇所から、それぞれ一番離れた位置で該共有表示装置の表示画面を閲覧している人までの距離情報を取得して、取得した該それぞれ一番離れた距離情報に基づいて、前記異なる複数の測定箇所それぞれにおける前記比率を前記表示比率決定部に決定させ、
前記表示データ送信部は、
前記共有表示装置の表示画面に任意の表示オブジェクトを表示する際に、任意の表示オブジェクトが表示される位置に最も近い測定箇所の前記比率で、該任意の表示オブジェクトを表示させるためのデータを作成し、該データを前記共有表示装置に送信する
ことを特徴とするデータ加工送信装置。
【請求項２３】
個人の手元で使用される情報入力装置に対する入力に基づいて当該情報入力装置の表示画面上に作成された表示オブジェクトを前記情報入力装置から取得するオブジェクト取得部と、
複数人で閲覧する際の共有表示装置の表示画面から該表示画面を閲覧する人までの距離情報を取得する距離情報取得部と、
前記情報入力装置の表示画面上での任意の表示オブジェクトの表示サイズに対する前記共有表示装置の表示画面上での該任意の表示オブジェクトの表示サイズの比率を、前記距離情報に応じて決定する表示比率決定部と、
前記オブジェクト取得部で取得した表示オブジェクトを前記表示比率決定部で決定した比率で前記共有表示装置の表示画面に表示させるためのデータを作成し、該データを前記共有表示装置に送信する表示データ送信部と、
を備え、
前記表示比率決定部は、
前記共有表示装置の表示画面に表示される文字のサイズを前記距離情報の示す距離に対応した文字サイズに決定し、前記表示オブジェクトの中の文字のサイズが、決定した該文字サイズとなる大きさで前記表示画面に該表示オブジェクトを表示させるためのデータを、前記表示データ送信部に作成させ、
前記距離情報取得部は、
前記共有表示装置に設けられた異なる複数の測定箇所から、それぞれ一番離れた位置で該共有表示装置の表示画面を閲覧している人までの距離情報を取得して、取得した該それぞれ一番離れた距離情報に基づいて、前記異なる複数の測定箇所それぞれにおける前記比率を前記表示比率決定部に決定させ、
前記表示データ送信部は、
前記共有表示装置の表示画面に任意の表示オブジェクトを表示する際に、任意の表示オブジェクトが表示される位置に最も近い測定箇所の前記比率で、該任意の表示オブジェクトを表示させるためのデータを作成し、該データを前記共有表示装置に送信する
ことを特徴とするデータ加工送信装置。
【請求項２４】
前記距離情報取得部は、
前記共有表示装置の表示画面から、前記共有表示装置が設置されている室内の奥行きまたは椅子の配置位置までの距離情報を前記距離情報として取得する
ことを特徴とする請求項１２乃至１８のいずれか１項に記載のデータ加工送信装置。
【請求項２５】
前記表示比率決定部は、
前記比率に代えて、前記共有表示装置の表示画面からの前記距離情報に応じて表示画面上での表示オブジェクトの表示サイズを決定し、
前記表示データ送信部は、
前記比率に基づいて前記データを作成することに代えて、前記オブジェクト取得部で取得した表示オブジェクトを前記表示比率決定部で決定した表示サイズで前記共有表示装置の表示画面に表示させるためのデータを作成し、該データを前記共有表示装置に送信する
ことを特徴とする請求項１乃至２４のいずれか１項に記載のデータ加工送信装置。
【請求項２６】
前記表示データ送信部は、
前記共有表示装置の表示画面のサイズに基づいて、該表示画面に任意のオブジェクトを表示する際の適正サイズ範囲を設定して、前記オブジェクト取得部で取得した表示オブジェクトを前記表示比率決定部で決定した比率で表示したときの表示サイズが前記適正サイズ範囲に収まらないときは、該表示オブジェクトの表示サイズを前記適正サイズ範囲内に収まるように調整して前記共有表示装置の表示画面に表示させるための前記データを作成し、該データを前記共有表示装置に送信する
ことを特徴とする請求項１乃至２５のいずれか１項に記載のデータ加工送信装置。
【請求項２７】
前記表示データ送信部は、
作成した前記データを前記共有表示装置に送信して任意の表示オブジェクトを表示させ、前記共有表示装置に表示された該表示オブジェクトごとに、その表示サイズを拡大または縮小するための指示を、前記情報入力装置を操作するユーザから受け付ける
ことを特徴とする請求項１乃２６のいずれか１項に記載のデータ加工送信装置。
【請求項２８】
前記表示データ送信部が作成するデータは、
前記表示比率決定部で決定した比率を含み、
前記表示データ送信部は、
該比率に基づいて、前記オブジェクト取得部で取得した表示オブジェクトを拡大又は縮小したデータを作成し、該データを前記共有表示装置に送信する
ことを特徴とする請求項１乃至２７のいずれか１項に記載のデータ加工送信装置。
【請求項２９】
前記表示データ送信部が作成するデータは、
前記オブジェクト取得部で取得した表示オブジェクトに前記表示比率決定部で決定した比率で表示させるための情報を付加したデータである
ことを特徴とする請求項１乃至２７のいずれか１項に記載のデータ加工送信装置。
【請求項３０】
個人の手元で使用される情報入力装置に対する入力に基づいて当該情報入力装置の表示画面上に作成された表示オブジェクトを前記情報入力装置から取得するオブジェクト取得手順と、
複数人で閲覧する際の共有表示装置の表示画面から該表示画面を閲覧する人までの距離情報を取得する距離情報取得手順と、
前記情報入力装置の表示画面上での任意の表示オブジェクトの表示サイズに対する前記共有表示装置の表示画面上での該任意の表示オブジェクトの表示サイズの比率を、前記距離情報に応じて決定する表示比率決定手順と、
前記オブジェクト取得手順で取得した表示オブジェクトを前記表示比率決定手順で決定した比率で前記共有表示装置の表示画面に表示させるためのデータを作成し、該データを前記共有表示装置に送信する表示データ送信手順と、
をコンピュータに実行させるデータ加工送信プログラムであって、
前記距離情報取得手順では、
前記共有表示装置に設けられた異なる複数の測定箇所から、それぞれ一番離れた位置で該共有表示装置の表示画面を閲覧している人までの距離情報を取得し、
前記表示比率決定手順では、前記取得したそれぞれ一番離れた距離情報に基づいて、前記異なる複数の測定箇所それぞれにおける前記比率を決定し、
前記表示データ送信手順では、
前記共有表示装置の表示画面に任意の表示オブジェクトを表示する際に、任意の表示オブジェクトが表示される位置に最も近い測定箇所の前記比率で、該任意の表示オブジェクトを表示させるためのデータを作成し、該データを前記共有表示装置に送信する、
ことを特徴とするデータ加工送信プログラム。
【請求項３１】
個人の手元で使用される情報入力装置に対する入力に基づいて当該情報入力装置の表示画面上に作成された表示オブジェクトを前記情報入力装置から取得するオブジェクト取得手順と、
複数人で閲覧する際の共有表示装置の表示画面から前記情報入力装置までの距離情報を取得する距離情報取得手順と、
前記情報入力装置の表示画面上での任意の表示オブジェクトの表示サイズに対する前記共有表示装置の表示画面上での該任意の表示オブジェクトの表示サイズの比率を、前記距離情報に応じて決定する表示比率決定手順と、
前記オブジェクト取得手順で取得した表示オブジェクトを前記表示比率決定手順で決定した比率で前記共有表示装置の表示画面に表示させるためのデータを作成し、該データを前記共有表示装置に送信する表示データ送信手順と、
をコンピュータに実行させるデータ加工送信プログラム。
【請求項３２】
個人の手元で使用される情報入力装置に対する入力に基づいて当該情報入力装置の表示画面上に作成された表示オブジェクトを前記情報入力装置から取得するオブジェクト取得手順と、
複数人で閲覧する際の共有表示装置の表示画面から該表示画面を閲覧する人までの距離情報と、前記情報入力装置を操作するユーザから該情報入力装置までのユーザ距離情報を取得する距離情報取得手順と、
前記情報入力装置の表示画面上での任意の表示オブジェクトの表示サイズに対する前記共有表示装置の表示画面上での該任意の表示オブジェクトの表示サイズの比率を、前記距離情報取得手順で取得したユーザ距離情報の示す距離と前記距離情報の示す距離の比に基づいて決定する表示比率決定手順と、
前記オブジェクト取得手順で取得した表示オブジェクトを前記表示比率決定手順で決定した比率で前記共有表示装置の表示画面に表示させるためのデータを作成し、該データを前記共有表示装置に送信する表示データ送信手順と、
をコンピュータに実行させるデータ加工送信プログラム。
【請求項３３】
個人の手元で使用される情報入力装置に対する入力に基づいて当該情報入力装置の表示画面上に作成された表示オブジェクトを前記情報入力装置から取得するオブジェクト取得手順と、
複数人で閲覧する際の共有表示装置の表示画面から該表示画面を閲覧する人までの距離情報を取得する距離情報取得手順と、
前記オブジェクト取得手順で取得した表示オブジェクトの中から文字データを判別し、その判別された文字データについて前記情報入力装置の表示画面上での文字サイズに対する前記共有表示装置の表示画面上での文字サイズの比率を、前記文字データの前記情報入力装置の表示画面上での表示サイズと前記距離情報とに応じて決定する表示比率決定手順と、
前記オブジェクト取得手順で取得した表示オブジェクトの中の文字データのみを前記表示比率決定手順で決定した比率で前記共有表示装置の表示画面に表示させるためのデータを作成し、該データを前記共有表示装置に送信する表示データ送信手順と、
をコンピュータに実行させるデータ加工送信プログラム。
【請求項３４】
個人の手元で使用される情報入力装置に対する入力に基づいて当該情報入力装置の表示画面上に作成された表示オブジェクトを前記情報入力装置から取得するオブジェクト取得手順と、
複数人で閲覧する際の共有表示装置の表示画面から該表示画面を閲覧する人までの距離情報を取得する距離情報取得手順と、
前記オブジェクト取得手順で取得した表示オブジェクトの中から文字データを判別し、その判別された文字データについて前記情報入力装置の表示画面上での表示サイズに対する前記共有表示装置の表示画面上での表示サイズの比率を、前記文字データの前記情報入力装置の表示画面上での表示サイズと前記距離情報とに応じて決定する表示比率決定手順と、
前記オブジェクト取得手順で取得した表示オブジェクト全体を前記表示比率決定手順で決定した比率で前記共有表示装置の表示画面に表示させるためのデータを作成し、該データを前記共有表示装置に送信する表示データ送信手順と、
をコンピュータに実行させるデータ加工送信プログラム。
【請求項３５】
個人の手元で使用される情報入力装置に対する入力に基づいて当該情報入力装置の表示画面上に作成された表示オブジェクトを前記情報入力装置から取得するオブジェクト取得手順と、
複数人で閲覧する際の共有表示装置の表示画面から該表示画面を閲覧する人までの距離情報を取得する距離情報取得手順と、
前記オブジェクト取得手順で取得した表示オブジェクトの中から文字データを判別し、前記情報入力装置の表示画面上での任意の表示オブジェクトの表示サイズに対する前記共有表示装置の表示画面上での該任意の表示オブジェクトの表示サイズの比率を、前記文字データの前記情報入力装置の表示画面上での表示サイズと前記距離情報とに応じて決定する表示比率決定手順と、
前記オブジェクト取得手順で取得した表示オブジェクトを前記表示比率決定手順で決定した比率で前記共有表示装置の表示画面に表示させるためのデータを作成し、該データを前記共有表示装置に送信する表示データ送信手順と、
をコンピュータに実行させるデータ加工送信プログラムであって、
前記表示比率決定手順では、
前記共有表示装置の表示画面に表示される文字のサイズを前記距離情報の示す距離に対応した文字サイズに決定し、前記情報入力装置の表示画面上での前記表示オブジェクトの中の文字のサイズが、決定した該文字サイズになるように前記比率に決定する、
ことを特徴とするデータ加工送信プログラム。
【請求項３６】
個人の手元で使用される情報入力装置に対する入力に基づいて当該情報入力装置の表示画面上に作成された表示オブジェクトを前記情報入力装置から取得するオブジェクト取得ステップと、
複数人で閲覧する際の共有表示装置の表示画面から該表示画面を閲覧する人までの距離情報を取得する距離情報取得ステップと、
前記情報入力装置の表示画面上での任意の表示オブジェクトの表示サイズに対する前記共有表示装置の表示画面上での該任意の表示オブジェクトの表示サイズの比率を、前記距離情報に応じて決定する表示比率決定ステップと、
前記オブジェクト取得ステップで取得した表示オブジェクトを前記表示比率決定ステップで決定した比率で前記共有表示装置の表示画面に表示させるためのデータを作成し、該データを前記共有表示装置に送信する表示データ送信ステップと、
を有し、
前記距離情報取得ステップでは、
前記共有表示装置に設けられた異なる複数の測定箇所から、それぞれ一番離れた位置で該共有表示装置の表示画面を閲覧している人までの距離情報を取得し、
前記表示比率決定ステップでは、前記取得したそれぞれ一番離れた距離情報に基づいて、前記異なる複数の測定箇所それぞれにおける前記比率を決定し、
前記表示データ送信ステップでは、
前記共有表示装置の表示画面に任意の表示オブジェクトを表示する際に、任意の表示オブジェクトが表示される位置に最も近い測定箇所の前記比率で、該任意の表示オブジェクトを表示させるためのデータを作成し、該データを前記共有表示装置に送信する
ことを特徴とするデータ加工送信方法。
【請求項３７】
個人の手元で使用される情報入力装置に対する入力に基づいて当該情報入力装置の表示画面上に作成された表示オブジェクトを前記情報入力装置から取得するオブジェクト取得ステップと、
複数人で閲覧する際の共有表示装置の表示画面から前記情報入力装置までの距離情報を取得する距離情報取得ステップと、
前記情報入力装置の表示画面上での任意の表示オブジェクトの表示サイズに対する前記共有表示装置の表示画面上での該任意の表示オブジェクトの表示サイズの比率を、前記距離情報に応じて決定する表示比率決定ステップと、
前記オブジェクト取得ステップで取得した表示オブジェクトを前記表示比率決定ステップで決定した比率で前記共有表示装置の表示画面に表示させるためのデータを作成し、該データを前記共有表示装置に送信する表示データ送信ステップと、
を有する
ことを特徴とするデータ加工送信方法。
【請求項３８】
個人の手元で使用される情報入力装置に対する入力に基づいて当該情報入力装置の表示画面上に作成された表示オブジェクトを前記情報入力装置から取得するオブジェクト取得ステップと、
複数人で閲覧する際の共有表示装置の表示画面から該表示画面を閲覧する人までの距離情報と、前記情報入力装置を操作するユーザから該情報入力装置までのユーザ距離情報を取得する距離情報取得ステップと、
前記情報入力装置の表示画面上での任意の表示オブジェクトの表示サイズに対する前記共有表示装置の表示画面上での該任意の表示オブジェクトの表示サイズの比率を、前記距離情報取得ステップで取得したユーザ距離情報の示す距離と前記距離情報の示す距離の比に基づいて決定する表示比率決定ステップと、
前記オブジェクト取得ステップで取得した表示オブジェクトを前記表示比率決定ステップで決定した比率で前記共有表示装置の表示画面に表示させるためのデータを作成し、該データを前記共有表示装置に送信する表示データ送信ステップと、
を有する
ことを特徴とするデータ加工送信方法。
【請求項３９】
個人の手元で使用される情報入力装置に対する入力に基づいて当該情報入力装置の表示画面上に作成された表示オブジェクトを前記情報入力装置から取得するオブジェクト取得ステップと、
複数人で閲覧する際の共有表示装置の表示画面から該表示画面を閲覧する人までの距離情報を取得する距離情報取得ステップと、
前記オブジェクト取得ステップで取得した表示オブジェクトの中から文字データを判別し、その判別された文字データについて前記情報入力装置の表示画面上での文字サイズに対する前記共有表示装置の表示画面上での文字サイズの比率を、前記文字データの前記情報入力装置の表示画面上での表示サイズと前記距離情報とに応じて決定する表示比率決定ステップと、
前記オブジェクト取得ステップで取得した表示オブジェクトの中の文字データのみを前記表示比率決定ステップで決定した比率で前記共有表示装置の表示画面に表示させるためのデータを作成し、該データを前記共有表示装置に送信する表示データ送信ステップと、
を有する
ことを特徴とするデータ加工送信方法。
【請求項４０】
個人の手元で使用される情報入力装置に対する入力に基づいて当該情報入力装置の表示画面上に作成された表示オブジェクトを前記情報入力装置から取得するオブジェクト取得ステップと、
複数人で閲覧する際の共有表示装置の表示画面から該表示画面を閲覧する人までの距離情報を取得する距離情報取得ステップと、
前記オブジェクト取得ステップで取得した表示オブジェクトの中から文字データを判別し、その判別された文字データについて前記情報入力装置の表示画面上での表示サイズに対する前記共有表示装置の表示画面上での表示サイズの比率を、前記文字データの前記情報入力装置の表示画面上での表示サイズと前記距離情報とに応じて決定する表示比率決定ステップと、
前記オブジェクト取得ステップで取得した表示オブジェクト全体を前記表示比率決定ステップで決定した比率で前記共有表示装置の表示画面に表示させるためのデータを作成し、該データを前記共有表示装置に送信する表示データ送信ステップと、
を有する
ことを特徴とするデータ加工送信方法。
【請求項４１】
個人の手元で使用される情報入力装置に対する入力に基づいて当該情報入力装置の表示画面上に作成された表示オブジェクトを前記情報入力装置から取得するオブジェクト取得ステップと、
複数人で閲覧する際の共有表示装置の表示画面から該表示画面を閲覧する人までの距離情報を取得する距離情報取得ステップと、
前記オブジェクト取得ステップで取得した表示オブジェクトの中から文字データを判別し、前記情報入力装置の表示画面上での任意の表示オブジェクトの表示サイズに対する前記共有表示装置の表示画面上での該任意の表示オブジェクトの表示サイズの比率を、前記文字データの前記情報入力装置の表示画面上での表示サイズと前記距離情報とに応じて決定する表示比率決定ステップと、
前記オブジェクト取得ステップで取得した表示オブジェクトを前記表示比率決定ステップで決定した比率で前記共有表示装置の表示画面に表示させるためのデータを作成し、該データを前記共有表示装置に送信する表示データ送信ステップと、
を有するデータ加工送信方法であって、
前記表示比率決定ステップでは、
前記共有表示装置の表示画面に表示される文字のサイズを前記距離情報の示す距離に対応した文字サイズに決定し、前記情報入力装置の表示画面上での前記表示オブジェクトの中の文字のサイズが、決定した該文字サイズになるように前記比率に決定する、
ことを特徴とするデータ加工送信方法。
【発明の詳細な説明】
【技術分野】
【０００１】
本発明は、データ加工送信装置、データ加工送信プログラム、データ加工送信方法に係り、特に、共有表示装置に表示オブジェクトを表示させるためのデータを送信するデータ加工送信装置、データ加工送信プログラム、データ加工送信方法に関する。
【背景技術】
【０００２】
会社内での会議や小規模の打ち合わせにおいて、しばしば参加者が手元でメモやまとめなどの作業を行うことがある。この場合、参加者の手元で作成されたメモやまとめを会議の参加者全員で共有するツールとして、ポストイット（付箋）が利用されている。
【０００３】
ところで、携帯情報端末の表示画面に表示された一部をプロジェクタなどの投射装置を用いて拡大投影する投射システムや投射装置が知られている（特許文献１参照）。
【０００４】
また、携帯端末の表示画面に表示される表示画像の生成に関する画像データ送受信システムであって、携帯端末は、携帯端末の表示画面に表示される表示画像の一部を形成する特定のシンボル画像データの要求と該表示画面の解像度に関連する解像度関連情報とをサーバに送信し、サーバは、受信した解像度関連情報に基づいて、解像度に応じたシンボル画像データを携帯端末に返信する画像データ送受信システムが知られている（特許文献２参照）。
【０００５】
また、構造記述言語によって記述された情報をネットワークを介して受信して画像を生成し、その生成した画像をフルスケールの表示画像と、そのフルスケールよりも小さい表示サイズの表示画像を生成する画像表示装置が知られている（特許文献３参照）。
【０００６】
また、ユーザが書き込んだ書き込み内容を画像データとして記録して、その画像データを読み取ることによって付箋画像データとして他の画像データに組み込むことができる電子会議システムが知られている（特許文献４参照）。
【０００７】
また、表示画面に撮影部を備え、その撮影部によって複数の人物を撮影し、撮影部と複数の人物とのそれぞれの距離を測定して、測定されたそれぞれの測定距離を用いて、表示画面の表示部に表示する表示倍率を決定する表示装置が知られている（特許文献５参照）。
【先行技術文献】
【特許文献】
【０００８】
【特許文献１】特開２００７−２４１５３７号公報
【特許文献２】特開２００５−１２８８０１号公報
【特許文献３】特開２００２−１８２６３８号公報
【特許文献４】特開２００７−２８６７８０号公報
【特許文献５】特開２００９−６３６３６号公報
【発明の概要】
【発明が解決しようとする課題】
【０００９】
ユーザの手元で利用されるポストイットは、その現状のサイズで貼付されるため、離れた場所からポストイットを見ようとすると、書いた文字が小さく非常に見づらかった。また、特許文献４には、ポストイットとして適用可能な付箋画像データを用いた電子会議システムが開示されている。
【００１０】
しかしながら、特許文献４に記載された電子会議システムでは、付箋画像データは基本的に等倍で表示装置に表示されることになっており、表示装置から離れた場所にいる人には付箋画像データが小さく見づらかった。
【００１１】
また、特許文献５には、表示画面から複数の人物を撮影することにより、表示画面から人物までの距離を測定して、その測定した測定距離に応じて表示倍率を決定する表示装置が開示されている。
【００１２】
しかしながら、特許文献５に記載された表示装置では、複数の参加者が表示画面を見やすいように表示倍率を決定するものであり、ユーザが手元で作成したメモやまとめなどを表示することに関しては、何ら検討や考慮がされていなかった。
【００１３】
本発明は、上記の問題を解決しようとするものであり、ユーザの手元の情報処理装置で作成されたオブジェクトが共有表示装置に表示され、その共有表示装置から離れた場所からであっても、その共有表示装置に表示されたオブジェクトを見やすい表示サイズで表示することができるデータ加工送信装置、データ加工送信プログラム、データ加工送信プログラムを提供することを目的としている。
【課題を解決するための手段】
【００１４】
かかる目的を達成するための本発明の要旨とするところは、次の各項の発明に存する。
【００１５】
［１］個人の手元で使用される情報入力装置に対する入力に基づいて当該情報入力装置の表示画面上に作成された表示オブジェクトを前記情報入力装置から取得するオブジェクト取得部と、
複数人で閲覧する際の共有表示装置の表示画面から該表示画面を閲覧する人までの距離情報を取得する距離情報取得部と、
前記情報入力装置の表示画面上での任意の表示オブジェクトの表示サイズに対する前記共有表示装置の表示画面上での該任意の表示オブジェクトの表示サイズの比率を、前記距離情報に応じて決定する表示比率決定部と、
前記オブジェクト取得部で取得した表示オブジェクトを前記表示比率決定部で決定した比率で前記共有表示装置の表示画面に表示させるためのデータを作成し、該データを前記共有表示装置に送信する表示データ送信部と、
を備え、
前記距離情報取得部は、
前記共有表示装置に設けられた異なる複数の測定箇所から、それぞれ一番離れた位置で該共有表示装置の表示画面を閲覧している人までの距離情報を取得して、取得した該それぞれ一番離れた距離情報に基づいて、前記異なる複数の測定箇所それぞれにおける前記比率を前記表示比率決定部に決定させ、
前記表示データ送信部は、
前記共有表示装置の表示画面に任意の表示オブジェクトを表示する際に、任意の表示オブジェクトが表示される位置に最も近い測定箇所の前記比率で、該任意の表示オブジェクトを表示させるためのデータを作成し、該データを前記共有表示装置に送信する
ことを特徴とするデータ加工送信装置。
【００１６】
上記発明では、情報処理装置から表示オブジェクトを取得するとともに、共有表示装置の表示画面を閲覧する人の該表示画面までの距離を取得して、情報入力装置の表示画面上での任意の表示オブジェクトの表示サイズに対する共有表示装置の表示画面上での該任意の表示オブジェクトの表示サイズの比率を、前記距離情報に応じて表示比率決定部が決定する。したがって、共有表示装置の表示画面から遠い人に対しても、見やすい表示サイズで共有表示装置の表示画面に表示オブジェクトを表示させることができる。共有表示装置に設けられた異なる複数の測定箇所それぞれにおいて一番離れた位置で該共有表示装置の表示画面を閲覧している人までの距離情報を取得して、その距離情報に基づいて、異なる複数の測定箇所それぞれにおける前記比率を決定する。
［２］個人の手元で使用される情報入力装置に対する入力に基づいて当該情報入力装置の表示画面上に作成された表示オブジェクトを前記情報入力装置から取得するオブジェクト取得部と、
複数人で閲覧する際の共有表示装置の表示画面から前記情報入力装置までの距離情報を取得する距離情報取得部と、
前記情報入力装置の表示画面上での任意の表示オブジェクトの表示サイズに対する前記共有表示装置の表示画面上での該任意の表示オブジェクトの表示サイズの比率を、前記距離情報に応じて決定する表示比率決定部と、
前記オブジェクト取得部で取得した表示オブジェクトを前記表示比率決定部で決定した比率で前記共有表示装置の表示画面に表示させるためのデータを作成し、該データを前記共有表示装置に送信する表示データ送信部と、
を備えることを特徴とするデータ加工送信装置。
上記発明では、共有表示装置の表示画面から該表示画面を閲覧する人までの距離情報の代わりに、共有表示装置から情報入力装置までのデバイス距離情報を取得する。この場合、情報入力装置を用いて共有表示装置から情報入力装置までの距離を測定することができるので、容易かつ正確に測定することができる。具体的には、たとえば、情報入力装置は、ＧＰＳ（Global Positioning System）モジュールを搭載し、ＧＰＳ機能を有するアプリケーションを実行することにより、容易に情報入力装置と共有表示装置との距離を測定することができる。
【００１７】
［３］前記距離情報取得部は、
前記共有表示装置の表示画面から一番離れた位置で該表示画面を閲覧する人までの距離情報を取得する
ことを特徴とする［２］に記載のデータ加工送信装置。
【００１８】
上記発明では、共有表示装置の表示画面から一番離れた位置を基準として距離情報を取得して、その距離情報に応じて共有表示装置の表示画面に表示オブジェクトを表示する。したがって、共有表示装置の表示画面から一番離れた位置の人にでも共有表示装置の表示画面に表示オブジェクトを見やすく表示させることができる。
【００１９】
［４］前記距離情報取得部は、
前記共有表示装置の表示画面を複数人で閲覧する場合、該表示画面を閲覧している人々の平均距離情報を取得する
ことを特徴とする［２］または［３］に記載のデータ加工送信装置。
【００２０】
上記発明では、共有表示装置の表示画面を閲覧している人々の平均距離情報を取得する。これにより、複数人で表示画面を見る場合、複数の人の表示画面までの距離が互いに異なる距離であっても、表示画面までの複数の距離によって算出される平均距離情報を用いることにより表示オブジェクトを平均的に見やすくさせることができる。
【００２１】
［５］前記距離情報取得部は、
前記共有表示装置に異なる複数の測定箇所が設けられ、該表示画面を閲覧する人と該表示画面との距離情報を、前記異なる複数の測定箇所からそれぞれ取得して、その中で最長の距離情報に基づいて、前記表示比率決定部に前記比率を決定させる
ことを特徴とする［２］乃至［４］のいずれか１項に記載のデータ加工送信装置。
【００２２】
上記発明では、共有表示装置２００に設けられた異なる複数の測定箇所から、表示画面を閲覧する人と該表示画面との距離情報を取得して、その中で最長の距離情報に基づいて、表示比率決定部に前記比率を決定させる。
【００２３】
［６］前記距離情報取得部は、
前記共有表示装置に設けられた異なる複数の測定箇所から、それぞれ一番離れた位置で該共有表示装置の表示画面を閲覧している人までの距離情報を取得して、取得した該それぞれ一番離れた距離情報に基づいて、前記異なる複数の測定箇所それぞれにおける前記比率を前記表示比率決定部に決定させ、
前記表示データ送信部は、
前記共有表示装置の表示画面に任意の表示オブジェクトを表示する際に、任意の表示オブジェクトが表示される位置に最も近い測定箇所の前記比率で、該任意の表示オブジェクトを表示させるためのデータを作成し、該データを前記共有表示装置に送信する
ことを特徴とする［５］に記載のデータ加工送信装置。
【００２４】
上記発明では、[５]に記載のデータ加工装置であって、共有表示装置に設けられた異なる複数の測定箇所それぞれにおいて一番離れた位置で該共有表示装置の表示画面を閲覧している人までの距離情報を取得して、その距離情報に基づいて、異なる複数の測定箇所それぞれにおける前記比率を決定する。
【００２９】
［７］前記距離情報取得部は、
前記情報入力装置を操作するユーザから該情報入力装置までのユーザ距離情報を取得し、
前記表示比率決定部は、
前記距離情報取得部で取得したユーザ距離情報の示す距離と前記距離情報の示す距離との比に基づいて、前記情報入力装置の表示画面上での任意の表示オブジェクトの表示サイズに対する前記共有表示装置の表示画面上での該任意の表示オブジェクトの表示サイズの比率を決定する
ことを特徴とする［２］乃至［６］のいずれか１項に記載のデータ加工送信装置。
【００３０】
上記発明では、ユーザから情報入力装置までの距離情報と、共有表示装置の表示画面から該表示画面を閲覧する人までの距離情報との比に基づいて、表示比率決定部が前記比率を決定する。
【００３１】
［８］前記表示比率決定部は、
前記オブジェクト取得部で取得した表示オブジェクトの中から文字データを判別し、その判別された文字データについて前記情報入力装置の表示画面上での文字サイズに対する前記共有表示装置の表示画面上での文字サイズの比率を前記距離情報に応じて決定し、
前記表示データ送信部は、
前記オブジェクト取得部で取得した表示オブジェクトの中の文字データのみを前記表示比率決定部で決定した前記比率で前記共有表示装置の表示画面に表示させるためのデータを作成し、該データを前記共有表示装置に送信する
ことを特徴とする［２］乃至［７］のいずれか１項に記載のデータ加工送信装置。
【００３２】
上記発明では、情報入力装置の表示画面上の表示オブジェクトの中から文字データを判別し、その判別された文字データについて情報入力装置の表示画面上での文字サイズに対する共有表示装置の表示画面上での文字サイズの比率を前記距離情報に応じて決定する。そして、決定した比率に基づいて、情報入力装置の表示オブジェクトの中の文字データのみを該比率で拡大して共有表示装置の表示画面に表示させるためのデータを作成し、該データを前記共有表示装置に送信する。要するに、文字サイズに基づいて決定した比率で文字データ部分のみを変倍し、図形などの文字データ以外の部分は変倍せずに共有表示装置に表示させる。
【００３３】
［９］前記表示比率決定部は、
前記オブジェクト取得部で取得した表示オブジェクトの中から文字データを判別し、その判別された文字データについて前記情報入力装置の表示画面上での表示サイズに対する前記共有表示装置の表示画面上での表示サイズの比率を前記距離情報に応じて決定し、
前記表示データ送信部は、
前記オブジェクト取得部で取得した表示オブジェクト全体を前記表示比率決定部で決定した前記比率で前記共有表示装置の表示画面に表示させるためのデータを作成し、該データを前記共有表示装置に送信する
ことを特徴とする［２］乃至［８］のいずれか１項に記載のデータ加工送信装置。
【００３４】
上記発明では、情報入力装置の表示画面上の表示オブジェクトの中から文字データについて情報入力装置の表示画面上での文字サイズに対する共有表示装置の表示画面上での文字サイズの比率を前記距離情報に応じて決定する。そして、決定した比率に基づいて、情報入力装置の表示オブジェクト全体を該比率で拡大して共有表示装置の表示画面に表示させるためのデータを作成し、該データを前記共有表示装置に送信する。要するに、文字サイズに基づいて決定した比率を使用して表示オブジェクト全体を変倍し、共有表示装置に表示させる。
【００３５】
［１０］前記表示比率決定部は、
前記共有表示装置の表示画面に表示される文字のサイズを前記距離情報の示す距離に対応した文字サイズに決定し、前記表示オブジェクトの中の文字のサイズが、決定した該文字サイズとなる大きさで前記表示画面に該表示オブジェクトを表示させるためのデータを、前記表示データ送信部に作成させる
ことを特徴とする［２］乃至［９］のいずれか１項に記載のデータ加工送信装置。
【００３６】
上記発明では、表示比率決定部は、情報処理装置上での文字サイズにかかわらず、共有表示装置の表示画面に表示される表示オブジェクトの文字のサイズを距離に応じた文字サイズに決定する。そして、前記表示オブジェクトの中の文字のサイズを決定した文字サイズで表示画面に該表示オブジェクトを表示させるためのデータを、前記表示データ送信部に作成させる。
【００４３】
［１１］前記表示データ送信部は、
作成した前記データを前記共有表示装置に送信して任意の表示オブジェクトを表示させ、前記情報入力装置ごとに、その情報入力装置が前記共有表示装置に表示させた表示オブジェクトを拡大または縮小するための指示を、前記情報入力装置を操作するユーザから受け付ける
ことを特徴とする［２］乃至［１０］のいずれか１項に記載のデータ加工送信装置。
【００４４】
上記発明では、情報入力装置ごとに、その情報入力装置が共有表示装置に表示させた表示オブジェクトを拡大または縮小するための指示を、前記情報入力装置を操作するユーザから受け付ける。
［１２］個人の手元で使用される情報入力装置に対する入力に基づいて当該情報入力装置の表示画面上に作成された表示オブジェクトを前記情報入力装置から取得するオブジェクト取得部と、
複数人で閲覧する際の共有表示装置の表示画面から該表示画面を閲覧する人までの距離情報と、前記情報入力装置を操作するユーザから該情報入力装置までのユーザ距離情報を取得する距離情報取得部と、
前記情報入力装置の表示画面上での任意の表示オブジェクトの表示サイズに対する前記共有表示装置の表示画面上での該任意の表示オブジェクトの表示サイズの比率を、前記距離情報取得部で取得したユーザ距離情報の示す距離と前記距離情報の示す距離の比に基づいて決定する表示比率決定部と、
前記オブジェクト取得部で取得した表示オブジェクトを前記表示比率決定部で決定した比率で前記共有表示装置の表示画面に表示させるためのデータを作成し、該データを前記共有表示装置に送信する表示データ送信部と、
を備えることを特徴とするデータ加工送信装置。
［１３］個人の手元で使用される情報入力装置に対する入力に基づいて当該情報入力装置の表示画面上に作成された表示オブジェクトを前記情報入力装置から取得するオブジェクト取得部と、
複数人で閲覧する際の共有表示装置の表示画面から該表示画面を閲覧する人までの距離情報を取得する距離情報取得部と、
前記オブジェクト取得部で取得した表示オブジェクトの中から文字データを判別し、その判別された文字データについて前記情報入力装置の表示画面上での文字サイズに対する前記共有表示装置の表示画面上での文字サイズの比率を、前記文字データの前記情報入力装置の表示画面上での表示サイズと前記距離情報とに応じて決定する表示比率決定部と、
前記オブジェクト取得部で取得した表示オブジェクトの中の文字データのみを前記表示比率決定部で決定した比率で前記共有表示装置の表示画面に表示させるためのデータを作成し、該データを前記共有表示装置に送信する表示データ送信部と、
を備えることを特徴とするデータ加工送信装置。
［１４］個人の手元で使用される情報入力装置に対する入力に基づいて当該情報入力装置の表示画面上に作成された表示オブジェクトを前記情報入力装置から取得するオブジェクト取得部と、
複数人で閲覧する際の共有表示装置の表示画面から該表示画面を閲覧する人までの距離情報を取得する距離情報取得部と、
前記オブジェクト取得部で取得した表示オブジェクトの中から文字データを判別し、その判別された文字データについて前記情報入力装置の表示画面上での表示サイズに対する前記共有表示装置の表示画面上での表示サイズの比率を、前記文字データの前記情報入力装置の表示画面上での表示サイズと前記距離情報とに応じて決定する表示比率決定部と、
前記オブジェクト取得部で取得した表示オブジェクト全体を前記表示比率決定部で決定した比率で前記共有表示装置の表示画面に表示させるためのデータを作成し、該データを前記共有表示装置に送信する表示データ送信部と、
を備えることを特徴とするデータ加工送信装置。
［１５］個人の手元で使用される情報入力装置に対する入力に基づいて当該情報入力装置の表示画面上に作成された表示オブジェクトを前記情報入力装置から取得するオブジェクト取得部と、
複数人で閲覧する際の共有表示装置の表示画面から該表示画面を閲覧する人までの距離情報を取得する距離情報取得部と、
前記オブジェクト取得部で取得した表示オブジェクトの中から文字データを判別し、前記情報入力装置の表示画面上での任意の表示オブジェクトの表示サイズに対する前記共有表示装置の表示画面上での該任意の表示オブジェクトの表示サイズの比率を、前記文字データの前記情報入力装置の表示画面上での表示サイズと前記距離情報とに応じて決定する表示比率決定部と、
前記オブジェクト取得部で取得した表示オブジェクトを前記表示比率決定部で決定した比率で前記共有表示装置の表示画面に表示させるためのデータを作成し、該データを前記共有表示装置に送信する表示データ送信部と、
を備え、
前記表示比率決定部は、
前記共有表示装置の表示画面に表示される文字のサイズを前記距離情報の示す距離に対応した文字サイズに決定し、前記情報入力装置の表示画面上での前記表示オブジェクトの中の文字のサイズが、決定した該文字サイズになるように前記比率を決定する
ことを特徴とするデータ加工送信装置。
［１６］前記表示データ送信部は、
作成した前記データを前記共有表示装置に送信して任意の表示オブジェクトを表示させ、前記情報入力装置ごとに、その情報入力装置が前記共有表示装置に表示させた表示オブジェクトを拡大または縮小するための指示を、前記情報入力装置を操作するユーザから受け付ける
ことを特徴とする請求項１２乃至１５のいずれか１項に記載のデータ加工送信装置。
［１７］前記距離情報取得部は、
前記共有表示装置の表示画面から一番離れた位置で該表示画面を閲覧する人までの距離情報を取得する
ことを特徴とする請求項１２乃至１６のいずれか１項に記載のデータ加工送信装置。
［１８］前記距離情報取得部は、
前記共有表示装置の表示画面を複数人で閲覧する場合、該表示画面を閲覧している人々の平均距離情報を取得する
ことを特徴とする請求項１２乃至１７のいずれか１項に記載のデータ加工送信装置。
［１９］前記距離情報取得部は、
前記共有表示装置に異なる複数の測定箇所が設けられ、該表示画面を閲覧する人と該表示画面との距離情報を、前記異なる複数の測定箇所からそれぞれ取得して、その中で最長の距離情報に基づいて、前記表示比率決定部に前記比率を決定させる
ことを特徴とする請求項１２乃至１８のいずれか１項に記載のデータ加工送信装置。
［２０］前記距離情報取得部は、
前記共有表示装置に設けられた異なる複数の測定箇所から、それぞれ一番離れた位置で該共有表示装置の表示画面を閲覧している人までの距離情報を取得して、取得した該それぞれ一番離れた距離情報に基づいて、前記異なる複数の測定箇所それぞれにおける前記比率を前記表示比率決定部に決定させ、
前記表示データ送信部は、
前記共有表示装置の表示画面に任意の表示オブジェクトを表示する際に、任意の表示オブジェクトが表示される位置に最も近い測定箇所の前記比率で、該任意の表示オブジェクトを表示させるためのデータを作成し、該データを前記共有表示装置に送信する
ことを特徴とする請求項１２乃至１９のいずれか１項に記載のデータ加工送信装置。
［２１］個人の手元で使用される情報入力装置に対する入力に基づいて当該情報入力装置の表示画面上に作成された表示オブジェクトを前記情報入力装置から取得するオブジェクト取得部と、
複数人で閲覧する際の共有表示装置の表示画面から該表示画面を閲覧する人までの距離情報を取得する距離情報取得部と、
前記オブジェクト取得部で取得した表示オブジェクトの中から文字データを判別し、その判別された文字データについて前記情報入力装置の表示画面上での文字サイズに対する前記共有表示装置の表示画面上での文字サイズの比率を、前記距離情報に応じて決定する表示比率決定部と、
前記オブジェクト取得部で取得した表示オブジェクトの中の文字データのみを前記表示比率決定部で決定した比率で前記共有表示装置の表示画面に表示させるためのデータを作成し、該データを前記共有表示装置に送信する表示データ送信部と、
を備え、
前記距離情報取得部は、
前記共有表示装置に設けられた異なる複数の測定箇所から、それぞれ一番離れた位置で該共有表示装置の表示画面を閲覧している人までの距離情報を取得して、取得した該それぞれ一番離れた距離情報に基づいて、前記異なる複数の測定箇所それぞれにおける前記比率を前記表示比率決定部に決定させ、
前記表示データ送信部は、
前記共有表示装置の表示画面に任意の表示オブジェクトを表示する際に、任意の表示オブジェクトが表示される位置に最も近い測定箇所の前記比率で、該任意の表示オブジェクトを表示させるためのデータを作成し、該データを前記共有表示装置に送信する
ことを特徴とするデータ加工送信装置。
［２２］個人の手元で使用される情報入力装置に対する入力に基づいて当該情報入力装置の表示画面上に作成された表示オブジェクトを前記情報入力装置から取得するオブジェクト取得部と、
複数人で閲覧する際の共有表示装置の表示画面から該表示画面を閲覧する人までの距離情報を取得する距離情報取得部と、
前記オブジェクト取得部で取得した表示オブジェクトの中から文字データを判別し、その判別された文字データについて前記情報入力装置の表示画面上での表示サイズに対する前記共有表示装置の表示画面上での表示サイズの比率を、前記距離情報に応じて決定する表示比率決定部と、
前記オブジェクト取得部で取得した表示オブジェクト全体を前記表示比率決定部で決定した比率で前記共有表示装置の表示画面に表示させるためのデータを作成し、該データを前記共有表示装置に送信する表示データ送信部と、
を備え、
前記距離情報取得部は、
前記共有表示装置に設けられた異なる複数の測定箇所から、それぞれ一番離れた位置で該共有表示装置の表示画面を閲覧している人までの距離情報を取得して、取得した該それぞれ一番離れた距離情報に基づいて、前記異なる複数の測定箇所それぞれにおける前記比率を前記表示比率決定部に決定させ、
前記表示データ送信部は、
前記共有表示装置の表示画面に任意の表示オブジェクトを表示する際に、任意の表示オブジェクトが表示される位置に最も近い測定箇所の前記比率で、該任意の表示オブジェクトを表示させるためのデータを作成し、該データを前記共有表示装置に送信する
ことを特徴とするデータ加工送信装置。
［２３］個人の手元で使用される情報入力装置に対する入力に基づいて当該情報入力装置の表示画面上に作成された表示オブジェクトを前記情報入力装置から取得するオブジェクト取得部と、
複数人で閲覧する際の共有表示装置の表示画面から該表示画面を閲覧する人までの距離情報を取得する距離情報取得部と、
前記情報入力装置の表示画面上での任意の表示オブジェクトの表示サイズに対する前記共有表示装置の表示画面上での該任意の表示オブジェクトの表示サイズの比率を、前記距離情報に応じて決定する表示比率決定部と、
前記オブジェクト取得部で取得した表示オブジェクトを前記表示比率決定部で決定した比率で前記共有表示装置の表示画面に表示させるためのデータを作成し、該データを前記共有表示装置に送信する表示データ送信部と、
を備え、
前記表示比率決定部は、
前記共有表示装置の表示画面に表示される文字のサイズを前記距離情報の示す距離に対応した文字サイズに決定し、前記表示オブジェクトの中の文字のサイズが、決定した該文字サイズとなる大きさで前記表示画面に該表示オブジェクトを表示させるためのデータを、前記表示データ送信部に作成させ、
前記距離情報取得部は、
前記共有表示装置に設けられた異なる複数の測定箇所から、それぞれ一番離れた位置で該共有表示装置の表示画面を閲覧している人までの距離情報を取得して、取得した該それぞれ一番離れた距離情報に基づいて、前記異なる複数の測定箇所それぞれにおける前記比率を前記表示比率決定部に決定させ、
前記表示データ送信部は、
前記共有表示装置の表示画面に任意の表示オブジェクトを表示する際に、任意の表示オブジェクトが表示される位置に最も近い測定箇所の前記比率で、該任意の表示オブジェクトを表示させるためのデータを作成し、該データを前記共有表示装置に送信する
ことを特徴とするデータ加工送信装置。
［２４］前記距離情報取得部は、
前記共有表示装置の表示画面から、前記共有表示装置が設置されている室内の奥行きまたは椅子の配置位置までの距離情報を前記距離情報として取得する
ことを特徴とする請求項１２乃至１８のいずれか１項に記載のデータ加工送信装置。
［２５］前記表示比率決定部は、
前記比率に代えて、前記共有表示装置の表示画面からの前記距離情報に応じて表示画面上での表示オブジェクトの表示サイズを決定し、
前記表示データ送信部は、
前記比率に基づいて前記データを作成することに代えて、前記オブジェクト取得部で取得した表示オブジェクトを前記表示比率決定部で決定した表示サイズで前記共有表示装置の表示画面に表示させるためのデータを作成し、該データを前記共有表示装置に送信する
ことを特徴とする請求項１乃至２４のいずれか１項に記載のデータ加工送信装置。
上記発明では、表示比率決定部は、共有表示装置の表示画面からの前記距離情報に応じて表示サイズを決定する。そして、表示データ送信部は、前記比率に基づいてデータを作成することに代えて、オブジェクト取得部で取得した表示オブジェクトを決定した表示サイズで共有表示装置の表示画面に表示させるためのデータを作成し、該データを前記共有表示装置に送信する。
［２６］前記表示データ送信部は、
前記共有表示装置の表示画面のサイズに基づいて、該表示画面に任意のオブジェクトを表示する際の適正サイズ範囲を設定して、前記オブジェクト取得部で取得した表示オブジェクトを前記表示比率決定部で決定した比率で表示したときの表示サイズが前記適正サイズ範囲に収まらないときは、該表示オブジェクトの表示サイズを前記適正サイズ範囲内に収まるように調整して前記共有表示装置の表示画面に表示させるための前記データを作成し、該データを前記共有表示装置に送信する
ことを特徴とする請求項１乃至２５のいずれか１項に記載のデータ加工送信装置。
上記発明では、共有表示装置の表示画面のサイズに基づいて、表示画面に任意のオブジェクトを表示する際の適正サイズ範囲を設定する。適正サイズ範囲は、表示サイズの最大値および最小値から決定してもよく、いずれか一方だけでもよい。適正サイズ範囲に収まらない場合には、適正サイズ範囲内に収まるように調整して共有表示装置の表示画面に表示させるための前記データを作成し、該データを前記共有表示装置に送信する。
［２７］前記表示データ送信部は、
作成した前記データを前記共有表示装置に送信して任意の表示オブジェクトを表示させ、前記共有表示装置に表示された該表示オブジェクトごとに、その表示サイズを拡大または縮小するための指示を、前記情報入力装置を操作するユーザから受け付ける
ことを特徴とする請求項１乃２６のいずれか１項に記載のデータ加工送信装置。
上記発明では、共有表示装置に表示された表示オブジェクトごとに、その表示サイズを拡大または縮小するための指示を、前記情報入力装置を操作するユーザから受け付ける。
【００４５】
［２８］前記表示データ送信部が作成するデータは、
前記表示比率決定部で決定した比率を含み、
前記表示データ送信部は、
該比率に基づいて、前記オブジェクト取得部で取得した表示オブジェクトを拡大又は縮小したデータを作成し、該データを前記共有表示装置に送信する
ことを特徴とする［１］乃至［２７］のいずれか１項に記載のデータ加工送信装置。
【００４６】
上記発明では、表示データ送信部は、オブジェクト取得部で取得した表示オブジェクトを、表示比率決定部で決定した比率で拡大又は縮小したデータを作成し、該データを前記共有表示装置に送信する。
【００４７】
［２９］前記表示データ送信部が作成するデータは、
前記オブジェクト取得部で取得した表示オブジェクトに前記表示比率決定部で決定した比率で表示させるための情報を付加したデータである
ことを特徴とする［１］乃至［２７］のいずれか１項に記載のデータ加工送信装置。
【００４８】
上記発明では、表示データ送信部が作成するデータは、オブジェクト取得部で取得した表示オブジェクトに表示比率決定部で決定した比率の情報を付加したデータである。ここで、付加する情報は、比率であってもよく、また比率から換算した表示サイズそのものであってもよい。
【００４９】
［３０］個人の手元で使用される情報入力装置に対する入力に基づいて当該情報入力装置の表示画面上に作成された表示オブジェクトを前記情報入力装置から取得するオブジェクト取得手順と、
複数人で閲覧する際の共有表示装置の表示画面から該表示画面を閲覧する人までの距離情報を取得する距離情報取得手順と、
前記情報入力装置の表示画面上での任意の表示オブジェクトの表示サイズに対する前記共有表示装置の表示画面上での該任意の表示オブジェクトの表示サイズの比率を、前記距離情報に応じて決定する表示比率決定手順と、
前記オブジェクト取得手順で取得した表示オブジェクトを前記表示比率決定手順で決定した比率で前記共有表示装置の表示画面に表示させるためのデータを作成し、該データを前記共有表示装置に送信する表示データ送信手順と、
をコンピュータに実行させるデータ加工送信プログラムであって、
前記距離情報取得手順では、
前記共有表示装置に設けられた異なる複数の測定箇所から、それぞれ一番離れた位置で該共有表示装置の表示画面を閲覧している人までの距離情報を取得し、
前記表示比率決定手順では、前記取得した該それぞれ一番離れた距離情報に基づいて、前記異なる複数の測定箇所それぞれにおける前記比率を決定し、
前記表示データ送信手順では、
前記共有表示装置の表示画面に任意の表示オブジェクトを表示する際に、任意の表示オブジェクトが表示される位置に最も近い測定箇所の前記比率で、該任意の表示オブジェクトを表示させるためのデータを作成し、該データを前記共有表示装置に送信する、
ことを特徴とするデータ加工送信プログラム。
【００５０】
上記発明では、[１]に記載のデータ加工装置に対応したデータ加工送信プログラムである。
［３１］個人の手元で使用される情報入力装置に対する入力に基づいて当該情報入力装置の表示画面上に作成された表示オブジェクトを前記情報入力装置から取得するオブジェクト取得手順と、
複数人で閲覧する際の共有表示装置の表示画面から前記情報入力装置までの距離情報を取得する距離情報取得手順と、
前記情報入力装置の表示画面上での任意の表示オブジェクトの表示サイズに対する前記共有表示装置の表示画面上での該任意の表示オブジェクトの表示サイズの比率を、前記距離情報に応じて決定する表示比率決定手順と、
前記オブジェクト取得手順で取得した表示オブジェクトを前記表示比率決定手順で決定した比率で前記共有表示装置の表示画面に表示させるためのデータを作成し、該データを前記共有表示装置に送信する表示データ送信手順と、
をコンピュータに実行させるデータ加工送信プログラム。
［３２］個人の手元で使用される情報入力装置に対する入力に基づいて当該情報入力装置の表示画面上に作成された表示オブジェクトを前記情報入力装置から取得するオブジェクト取得手順と、
複数人で閲覧する際の共有表示装置の表示画面から該表示画面を閲覧する人までの距離情報と、前記情報入力装置を操作するユーザから該情報入力装置までのユーザ距離情報を取得する距離情報取得手順と、
前記情報入力装置の表示画面上での任意の表示オブジェクトの表示サイズに対する前記共有表示装置の表示画面上での該任意の表示オブジェクトの表示サイズの比率を、前記距離情報取得手順で取得したユーザ距離情報の示す距離と前記距離情報の示す距離の比に基づいて決定する表示比率決定手順と、
前記オブジェクト取得手順で取得した表示オブジェクトを前記表示比率決定手順で決定した比率で前記共有表示装置の表示画面に表示させるためのデータを作成し、該データを前記共有表示装置に送信する表示データ送信手順と、
をコンピュータに実行させるデータ加工送信プログラム。
［３３］個人の手元で使用される情報入力装置に対する入力に基づいて当該情報入力装置の表示画面上に作成された表示オブジェクトを前記情報入力装置から取得するオブジェクト取得手順と、
複数人で閲覧する際の共有表示装置の表示画面から該表示画面を閲覧する人までの距離情報を取得する距離情報取得手順と、
前記オブジェクト取得手順で取得した表示オブジェクトの中から文字データを判別し、その判別された文字データについて前記情報入力装置の表示画面上での文字サイズに対する前記共有表示装置の表示画面上での文字サイズの比率を、前記文字データの前記情報入力装置の表示画面上での表示サイズと前記距離情報とに応じて決定する表示比率決定手順と、
前記オブジェクト取得手順で取得した表示オブジェクトの中の文字データのみを前記表示比率決定手順で決定した比率で前記共有表示装置の表示画面に表示させるためのデータを作成し、該データを前記共有表示装置に送信する表示データ送信手順と、
をコンピュータに実行させるデータ加工送信プログラム。
［３４］個人の手元で使用される情報入力装置に対する入力に基づいて当該情報入力装置の表示画面上に作成された表示オブジェクトを前記情報入力装置から取得するオブジェクト取得手順と、
複数人で閲覧する際の共有表示装置の表示画面から該表示画面を閲覧する人までの距離情報を取得する距離情報取得手順と、
前記オブジェクト取得手順で取得した表示オブジェクトの中から文字データを判別し、その判別された文字データについて前記情報入力装置の表示画面上での表示サイズに対する前記共有表示装置の表示画面上での表示サイズの比率を、前記文字データの前記情報入力装置の表示画面上での表示サイズと前記距離情報とに応じて決定する表示比率決定手順と、
前記オブジェクト取得手順で取得した表示オブジェクト全体を前記表示比率決定手順で決定した比率で前記共有表示装置の表示画面に表示させるためのデータを作成し、該データを前記共有表示装置に送信する表示データ送信手順と、
をコンピュータに実行させるデータ加工送信プログラム。
［３５］個人の手元で使用される情報入力装置に対する入力に基づいて当該情報入力装置の表示画面上に作成された表示オブジェクトを前記情報入力装置から取得するオブジェクト取得手順と、
複数人で閲覧する際の共有表示装置の表示画面から該表示画面を閲覧する人までの距離情報を取得する距離情報取得手順と、
前記オブジェクト取得手順で取得した表示オブジェクトの中から文字データを判別し、前記情報入力装置の表示画面上での任意の表示オブジェクトの表示サイズに対する前記共有表示装置の表示画面上での該任意の表示オブジェクトの表示サイズの比率を、前記文字データの前記情報入力装置の表示画面上での表示サイズと前記距離情報とに応じて決定する表示比率決定手順と、
前記オブジェクト取得手順で取得した表示オブジェクトを前記表示比率決定手順で決定した比率で前記共有表示装置の表示画面に表示させるためのデータを作成し、該データを前記共有表示装置に送信する表示データ送信手順と、
をコンピュータに実行させるデータ加工送信プログラムであって、
前記表示比率決定手順では、
前記共有表示装置の表示画面に表示される文字のサイズを前記距離情報の示す距離に対応した文字サイズに決定し、前記情報入力装置の表示画面上での前記表示オブジェクトの中の文字のサイズが、決定した該文字サイズになるように前記比率に決定する、
ことを特徴とするデータ加工送信プログラム。
［３６］個人の手元で使用される情報入力装置に対する入力に基づいて当該情報入力装置の表示画面上に作成された表示オブジェクトを前記情報入力装置から取得するオブジェクト取得ステップと、
複数人で閲覧する際の共有表示装置の表示画面から該表示画面を閲覧する人までの距離情報を取得する距離情報取得ステップと、
前記情報入力装置の表示画面上での任意の表示オブジェクトの表示サイズに対する前記共有表示装置の表示画面上での該任意の表示オブジェクトの表示サイズの比率を、前記距離情報に応じて決定する表示比率決定ステップと、
前記オブジェクト取得ステップで取得した表示オブジェクトを前記表示比率決定ステップで決定した比率で前記共有表示装置の表示画面に表示させるためのデータを作成し、該データを前記共有表示装置に送信する表示データ送信ステップと、
を有し、
前記距離情報取得ステップでは、
前記共有表示装置に設けられた異なる複数の測定箇所から、それぞれ一番離れた位置で該共有表示装置の表示画面を閲覧している人までの距離情報を取得し、
前記表示比率決定ステップでは、前記取得したそれぞれ一番離れた距離情報に基づいて、前記異なる複数の測定箇所それぞれにおける前記比率を決定し、
前記表示データ送信ステップでは、
前記共有表示装置の表示画面に任意の表示オブジェクトを表示する際に、任意の表示オブジェクトが表示される位置に最も近い測定箇所の前記比率で、該任意の表示オブジェクトを表示させるためのデータを作成し、該データを前記共有表示装置に送信する
ことを特徴とするデータ加工送信方法。
［３７］個人の手元で使用される情報入力装置に対する入力に基づいて当該情報入力装置の表示画面上に作成された表示オブジェクトを前記情報入力装置から取得するオブジェクト取得ステップと、
複数人で閲覧する際の共有表示装置の表示画面から前記情報入力装置までの距離情報を取得する距離情報取得ステップと、
前記情報入力装置の表示画面上での任意の表示オブジェクトの表示サイズに対する前記共有表示装置の表示画面上での該任意の表示オブジェクトの表示サイズの比率を、前記距離情報に応じて決定する表示比率決定ステップと、
前記オブジェクト取得ステップで取得した表示オブジェクトを前記表示比率決定ステップで決定した比率で前記共有表示装置の表示画面に表示させるためのデータを作成し、該データを前記共有表示装置に送信する表示データ送信ステップと、
を有する
ことを特徴とするデータ加工送信方法。
［３８］個人の手元で使用される情報入力装置に対する入力に基づいて当該情報入力装置の表示画面上に作成された表示オブジェクトを前記情報入力装置から取得するオブジェクト取得ステップと、
複数人で閲覧する際の共有表示装置の表示画面から該表示画面を閲覧する人までの距離情報と、前記情報入力装置を操作するユーザから該情報入力装置までのユーザ距離情報を取得する距離情報取得ステップと、
前記情報入力装置の表示画面上での任意の表示オブジェクトの表示サイズに対する前記共有表示装置の表示画面上での該任意の表示オブジェクトの表示サイズの比率を、前記距離情報取得ステップで取得したユーザ距離情報の示す距離と前記距離情報の示す距離の比に基づいて決定する表示比率決定ステップと、
前記オブジェクト取得ステップで取得した表示オブジェクトを前記表示比率決定ステップで決定した比率で前記共有表示装置の表示画面に表示させるためのデータを作成し、該データを前記共有表示装置に送信する表示データ送信ステップと、
を有する
ことを特徴とするデータ加工送信方法。
［３９］個人の手元で使用される情報入力装置に対する入力に基づいて当該情報入力装置の表示画面上に作成された表示オブジェクトを前記情報入力装置から取得するオブジェクト取得ステップと、
複数人で閲覧する際の共有表示装置の表示画面から該表示画面を閲覧する人までの距離情報を取得する距離情報取得ステップと、
前記オブジェクト取得ステップで取得した表示オブジェクトの中から文字データを判別し、その判別された文字データについて前記情報入力装置の表示画面上での文字サイズに対する前記共有表示装置の表示画面上での文字サイズの比率を、前記文字データの前記情報入力装置の表示画面上での表示サイズと前記距離情報とに応じて決定する表示比率決定ステップと、
前記オブジェクト取得ステップで取得した表示オブジェクトの中の文字データのみを前記表示比率決定ステップで決定した比率で前記共有表示装置の表示画面に表示させるためのデータを作成し、該データを前記共有表示装置に送信する表示データ送信ステップと、
を有する
ことを特徴とするデータ加工送信方法。
［４０］個人の手元で使用される情報入力装置に対する入力に基づいて当該情報入力装置の表示画面上に作成された表示オブジェクトを前記情報入力装置から取得するオブジェクト取得ステップと、
複数人で閲覧する際の共有表示装置の表示画面から該表示画面を閲覧する人までの距離情報を取得する距離情報取得ステップと、
前記オブジェクト取得ステップで取得した表示オブジェクトの中から文字データを判別し、その判別された文字データについて前記情報入力装置の表示画面上での表示サイズに対する前記共有表示装置の表示画面上での表示サイズの比率を、前記文字データの前記情報入力装置の表示画面上での表示サイズと前記距離情報とに応じて決定する表示比率決定ステップと、
前記オブジェクト取得ステップで取得した表示オブジェクト全体を前記表示比率決定ステップで決定した比率で前記共有表示装置の表示画面に表示させるためのデータを作成し、該データを前記共有表示装置に送信する表示データ送信ステップと、
を有する
ことを特徴とするデータ加工送信方法。
［４１］個人の手元で使用される情報入力装置に対する入力に基づいて当該情報入力装置の表示画面上に作成された表示オブジェクトを前記情報入力装置から取得するオブジェクト取得ステップと、
複数人で閲覧する際の共有表示装置の表示画面から該表示画面を閲覧する人までの距離情報を取得する距離情報取得ステップと、
前記オブジェクト取得ステップで取得した表示オブジェクトの中から文字データを判別し、前記情報入力装置の表示画面上での任意の表示オブジェクトの表示サイズに対する前記共有表示装置の表示画面上での該任意の表示オブジェクトの表示サイズの比率を、前記文字データの前記情報入力装置の表示画面上での表示サイズと前記距離情報とに応じて決定する表示比率決定ステップと、
前記オブジェクト取得ステップで取得した表示オブジェクトを前記表示比率決定ステップで決定した比率で前記共有表示装置の表示画面に表示させるためのデータを作成し、該データを前記共有表示装置に送信する表示データ送信ステップと、
を有するデータ加工送信方法であって、
前記表示比率決定ステップでは、
前記共有表示装置の表示画面に表示される文字のサイズを前記距離情報の示す距離に対応した文字サイズに決定し、前記情報入力装置の表示画面上での前記表示オブジェクトの中の文字のサイズが、決定した該文字サイズになるように前記比率に決定する、
ことを特徴とするデータ加工送信方法。
【発明の効果】
【００５１】
本発明のデータ加工送信装置、データ加工送信プログラム、データ加工送信方法によれば、ユーザの手元の情報処理装置で作成されたオブジェクトが共有表示装置に表示され、その共有表示装置から離れた場所からであっても、その共有表示装置に表示されたオブジェクトを見やすい表示サイズで表示することができる。
【図面の簡単な説明】
【００５２】
【図１】本発明の第１の実施の形態に係る電子会議システムの一例を示した説明図である。
【図２】手元ツールのブロック図を示している。
【図３】共有表示装置のブロック図を示している。
【図４】画像処理部と文字判別部から構成されるデータ加工送信装置の機能ブロック図を示している。
【図５】第１の実施の形態に係る電子会議システムの基本的な動作の流れを示した流れ図である。
【図６】センサと表示部が共有表示装置に設けられていることを示した説明図である。
【図７】ユーザが手元ツールを使用している状態を示した説明図である。
【図８】ユーザが使用している手元ツールを示した説明図である。
【図９】閲覧者から共有画面までの距離を表示サイズに変換する例を示した距離サイズ変換表を示した説明図である。
【図１０】第２の実施の形態に係る電子会議システムの動作の流れを示した流れ図である。
【図１１】共有画面までの距離と文字サイズとの対応関係を示す距離文字サイズ変換表を示した説明図である。
【図１２】共有表示装置に２つのセンサが取りつけられた具体例を示した説明図である。
【図１３】センサー部を別体に設けた場合の他の実施の形態を示した説明図である。
【発明を実施するための形態】
【００５３】
＜第１の実施の形態＞
以下、図面に基づき本発明の実施の形態を説明する。
【００５４】
図１は、本発明の第１の実施の形態に係る電子会議システム６００の一例を示している。電子会議システム６００は、手元ツール（情報処理装置）１００と、共有表示装置２００とを備えている。
【００５５】
手元ツール１００は、ユーザが手元で利用する情報処理装置であり、たとえば、ＰＤＡ（Personal Digital Assistant）やタブレットパソコン（Tablet Personal Computer）などのツールである。手元ツール１００は、ユーザが文字や図形からなるパーツ（これを表示オブジェクトともいう。）を作成すると、作成したパーツを共有表示装置２００に送信する。
【００５６】
共有表示装置２００は、複数のユーザが閲覧できる共有画面（たとえば、液晶ディスプレイ（ＬＣＤ…Liquid Crystal Display）やプロジェクター（Projector））などの表示装置である。共有表示装置２００は、手元ツール１００からパーツを受信すると、共有画面にパーツを表示する。本実施の形態に係る電子会議システム６００では、手元ツール１００から受信したパーツのサイズを、見る人の距離に応じた表示倍率（比率）で拡大／縮小し、最適化されたパーツを共有表示装置２００の共有画面に表示する。すなわち、電子会議システム６００は、手元ツール１００で作成したパーツを共有表示装置２００に表示する際に、共有画面からこれを見る人までの距離に応じた表示倍率（比率）でパーツのサイズを拡大／縮小して表示する。
【００５７】
図２は、手元ツール１００のブロック図を示している。手元ツール１００は、表示部１１０と、通信部１２０と、操作部１３０と、センサー部１４０とを備えている。
【００５８】
表示部１１０は、液晶ディスプレイの表面にタッチパネルを設けることにより構成されている。表示部１１０は、ユーザがペンや指などで行う文字、図形、記号などの入力を、該入力内容をリアルタイムで表示しながら受け付ける。また、表示部１１０は、文書データや画像データなども表示することができる。
【００５９】
操作部１３０は、ユーザからの操作を受け付ける機能を有しており、ユーザによる押下操作によって選択する操作ボタンやモードを選択するボタンなどを備えている。
【００６０】
センサー部１４０は、赤外線センサを用いた人体検知センサによって構成されており、光を投射し、その反射光により人体までの距離を測定する。センサー部１４０は、手元ツール１００から、手元ツール１００を利用するユーザまでの距離を算出しているが、詳細については後述する。また、センサー部１４０は、後述するセンサ１４１によって構成されており、以下、実施の形態を説明する際にセンサー部１４０の一例として、センサ１４１を用いて説明する。
【００６１】
通信部１２０は、共有表示装置２００と通信を行う無線通信機能を有している。通信部１２０は、表示部１１０で作成されたパーツのデータやセンサー部１４０が検出した利用ユーザまでの距離情報を共有表示装置２００へ送信する機能を果たす。なお、通信部１２０は、通信機能を有していればよく、無線通信に限定されず、ＬＡＮ（local Area Network）ケーブルなどで接続される有線通信であってもよい。
【００６２】
図３は、共有表示装置２００のブロック図を示している。共有表示装置２００は、表示部２１０と、通信部２２０と、センサー部２３０と、画像処理部２４０と、文字判別部２５０とを備えている。
【００６３】
表示部２１０は、手元ツール１００から取得したパーツ（表示オブジェクト）をユーザや閲覧者が閲覧することができるように表示する共有画面を形成しており、大型の液晶ディスプレイやプロジェクターなどによって構成されている。
【００６４】
通信部２２０は、手元ツール１００と通信を行う無線通信機能を有している。通信部２２０は、手元ツール１００からパーツのデータや手元ツール１００とその利用者との距離を示す情報などを受信する。なお、通信部２２０は、通信機能を有していればよく、無線通信に限定されず、ＬＡＮケーブルで接続される有線通信であってもよい。
【００６５】
センサー部２３０は、赤外線センサを用いた人体検知センサや物体検知センサによって構成されており、光を投射し、その反射光により人体や物体までの距離を測定する。センサー部２３０は、当該センサー部２３０から表示部２１０を閲覧する人までの距離（以下、これを観察距離ともいう。）や、会議室の室内の奥行き、椅子が設置された配置位置までの距離などの距離情報を取得する。取得する距離情報については、後述する。また、センサー部２３０は、後述するセンサ２３１〜センサ２３４によって構成されており、以下、実施の形態を説明する際にセンサー部２３０の一例として、センサ２３１〜センサ２３４を用いて説明する。
【００６６】
画像処理部２４０は、センサー部２３０で取得した距離情報に基づいて、手元ツール１００の表示部１１０上でのパーツの表示サイズに対する共有表示装置２００の表示部２１０上でのそのパーツの表示サイズの比率を算出し、手元ツール１００から取得したパーツをこの比率に応じて変倍して表示部２１０に表示させる。なお、比率の決定に使用する距離情報は、表示部２１０から一番遠い人（以下、これを最遠観察者ともいう。）までの距離情報を使用してもよく、また表示部２１０を見ている人々の表示部２１０までの平均距離を用いてもよい。
【００６７】
文字判別部２５０は、手元ツール１００から取得したパーツの中から文字部分を識別し、該文字部分のデータ（文字データ）を抽出する。パーツは、通常、画像処理部２４０で算出された比率を用いて、パーツ全体に対して拡大処理や縮小処理が行われる。しかしながら、文字データだけ拡大処理や縮小処理を実施させたい場合もあり、その場合に、文字判別部２５０は、パーツから文字データを抽出する。文字判別部２５０は、抽出した文字データに対して、画像処理部２４０で算出した比率を用いて、拡大処理や縮小処理を画像処理部２４０に行わせる。拡大処理や縮小処理が行われた文字データは、画像処理部２４０から表示部２１０に送信され、表示部２１０に表示される。この場合、画像処理部２４０は、表示部２１０に対し、拡大処理や縮小処理が行われた文字データと文字データが抽出される前のパーツの合成指示を行っており、表示部２１０に表示される際、拡大処理や縮小処理によって生じる文字と図形の重なりやズレも調整している。このように、文字判別部２５０は、パーツから文字データを抽出することができるので、抽出した文字データだけ画像処理部２４０に拡大処理や縮小処理をさせることができる。なお、画像処理部２４０と文字判別部２５０の機能は、以下のデータ加工送信装置１９０の機能を構成する。
【００６８】
図４は、画像処理部２４０と文字判別部２５０から構成されるデータ加工送信装置１９０の機能ブロック図を示している。図４に示すデータ加工送信装置１９０は、オブジェクト取得部１５０と、距離情報取得部１６０と、表示比率決定部１７０と、表示データ送信部１８０とを備えている。ここで、オブジェクト取得部１５０と距離情報取得部１６０と表示比率決定部１７０と表示データ送信部１８０は、上述した画像処理部２４０の機能に対応する。また、表示比率決定部１７０は、文字判別部２５０の機能を含んでいる。
【００６９】
オブジェクト取得部１５０は、個人の手元で使用される手元ツール１００の表示画面（表示部１１０）上に作成されたパーツ（表示オブジェクト）を、通信部２２０を経由して手元ツール１００から取得する。
【００７０】
距離情報取得部１６０は、複数人で閲覧する際の共有表示装置２００の表示画面（表示部２１０）からその表示画面を閲覧する人までの距離情報を取得する。
【００７１】
表示比率決定部１７０は、手元ツール１００の表示画面上での任意のパーツの表示サイズに対する共有表示装置２００の表示画面上での該パーツの表示サイズの比率を、距離情報取得部１６０で取得された距離情報に応じて決定する。
【００７２】
表示データ送信部１８０は、オブジェクト取得部１５０で取得したパーツを表示比率決定部１７０で決定した比率で共有表示装置２００の表示画面に表示させるためのデータを作成し、該データを共有表示装置２００に送信する。
【００７３】
このように、データ加工送信装置１９０は、共有表示装置２００の表示画面（以下、これを共有画面ともいう。）に表示させるためのデータを作成して表示部２１０に送信することにより、共有表示装置２００の表示部２１０に、表示比率決定部１７０で決定した比率の画像処理を施したパーツを表示させることができる。
【００７４】
次に、手元ツール１００と共有表示装置２００による電子会議システム６００の動作をより詳細に説明する。
【００７５】
＜電子会議システム６００の基本的な動作＞
図５は、第１の実施の形態に係る電子会議システム６００の基本的な動作の流れを示している。まず、共有表示装置２００は、表示部２１０の共有画面に設けられたセンサ２３１(後述する図６)を用いて、共有画面を見ている人々のうち、表示部２１０から最遠観察者（前述した一番遠い人のことである。）の観察距離を測定する（ステップＳ１０１）。なお、共有画面を見ている人数は、本実施の形態では何人でもよく、共有画面を見ている人の中で最遠観察者の観察距離さえ測定できればよい。この場合の共有表示装置２００について、図を用いて説明する。
【００７６】
図６は、センサ２３１と表示部２１０が共有表示装置２００に設けられていることを示している。センサ２３１は、表示部２１０の上部の１箇所に設けられており、このセンサ２３１の部位から表示部２１０を閲覧する人々までの距離を測定する。また、表示部２１０は、共有表示装置２００に設けられ、閲覧する人々の手元ツール１００で作成されたツール、文書データ、画像データまたは読み取り専用データなどを表示する。
【００７７】
次に、表示部１１０に表示されたパーツの表示サイズと、表示部２１０に表示するパーツの表示サイズの比率を計算する（ステップＳ１０２）。この比率の計算する方法を、図を用いて説明する。
【００７８】
図７は、ユーザが手元ツール１００を使用している状態を示している。ユーザは、手元ツール１００を手に持っており、ユーザと手元ツール１００との距離は、距離Ｄだけ離れている。
【００７９】
図８は、ユーザが使用している手元ツール１００を示している。図８の手元ツール１００には、センサ１４１が設けられている。また、表示部１１０の画面サイズは、名刺大（９１×５５ｍｍ）である。また、表示部１１０は、タッチパネル機能付きの液晶ディスプレイを備えている。
【００８０】
なお、本実施の形態では、パーツの確定（あるいは送信）ボタンを操作すると、そのとき手元ツール１００の表示部１１０の表示内容全体が１つのパーツとなる。したがって、パーツの表示サイズは、手元ツール１００の画面サイズと一致する。このほか、表示画面内でユーザが任意に選択した範囲の表示内容を１つのパーツとして扱うように構成されてもよい。
【００８１】
第１の実施の形態では、ユーザが手元ツール１００を見ている距離Ｄと、共有表示装置２００の共有画面を見ている人の中でその共有画面から最遠観察者が共有画面の表示部２１０を見ている距離との比を計算する。換言すれば、ユーザと手元ツール１００との距離Ｄと、共有画面とその共有画面を見ている人の中で最遠観察者との距離の比を求める。
【００８２】
具体的には、たとえば、手元ツール１００とユーザとの距離が０．５ｍであり、共有画面とその共有画面を見ている人の中で最遠観察者の距離が２ｍの場合、比率は４倍となる。
【００８３】
計算された距離の比に従って、表示部１１０に表示されたパーツを拡大／縮小する(ステップＳ１０３)。すなわち、上記で計算された４倍という比率を用いて、表示部１１０に表示されていたパーツを４倍に拡大して表示部２１０に表示する。なお、ここでは、調整値として、適当な値を計算された比率に乗算することにより、共有画面に表示される表示サイズを調整することができる。たとえば、上記の計算結果の比率が４倍であるため、表示部１１０で表示されていたパーツが表示部２１０では４倍で表示されるので、非常に大きくなりすぎてしまうことがある。そこで、調整値として０．５を乗算し、２倍の比率で表示部２１０に拡大表示されるように調整してもよい。
【００８４】
また、最遠観察者のような最も遠い人の距離ではなく、全メンバーの平均距離を適用するようにしてもよい。最遠観察者の観察距離を基準にすると、共有画面の近辺にいる人にとっては拡大されたパーツが大きすぎることもあるからである。したがって、共有画面を見ている人の平均距離を用いることで、参加者が一様に見やすい大きさにパーツを設定することができる。
【００８５】
次に、共有画面に表示されるパーツの表示サイズが、最大値または最小値によって示される適正サイズ範囲を超えていないか確認する（ステップＳ１０４）。まず、共有画面に表示されるパーツの表示サイズが、所定の最大値より大きいか、または所定の最小値より小さいか判定を行い（ステップＳ１０５）、共有画面に表示されるパーツの表示サイズが所定の最大値より大きい又は最小値より小さい場合には（ステップＳ１０５；Ｙｅｓ）、共有画面に表示されるパーツの表示サイズをその最大サイズまたは最小サイズに調整する。すなわち、共有画面に表示されるパーツの表示サイズが最大値より大きくなる場合には、共有画面に表示されるパーツの表示サイズを最大サイズに調整し、共有画面に表示されるパーツの表示サイズが最小値よりも小さくなる場合には、共有画面に表示されるパーツの表示サイズを最小サイズに調整する（ステップＳ１０６）。
【００８６】
以下、最大値である最大サイズ（面積）を算出する場合の具体例について、詳述する。
【００８７】
たとえば、共有画面（表示部２１０）のサイズは６０インチであり、アスペクト比が１６対９とする（すなわち、１，３２８ｍｍ×７４７ｍｍ）。この場合、共有画面に表示されるパーツの最大サイズを共有画面の面積の１０％とした場合、パーツの最大サイズは、１，３２８×７４７×０．１＝９９，２０１．６（ｍｍ２）となる。この計算された面積が表示部２１０上での最大値となる。
【００８８】
一方、ステップＳ１０３において、表示部１１０の表示サイズを２倍に拡大した後の表示サイズは、（９１×２）×（５５×２）＝２０，０２０ｍｍ２となる。この例では、上述で計算した最大値を超えていないため（ステップＳ１０５；Ｎｏ）、拡大した後の表示サイズで表示部２１０の共有画面に表示される（ステップＳ１０７）。
【００８９】
これに対し、たとえば、ステップ１０３において、表示部１１０の表示サイズを５倍に拡大した後の表示サイズは、（９１×５）×（５５×５）＝１２５，１２５ｍｍ２となる。この場合、上述で計算した最大値を超えてしまうため（ステップＳ１０５；Ｙｅｓ）、上述した最大値の面積になるように調整する（ステップＳ１０６）。この場合の調整すべき倍率は、（９９，２０１．６）／（９１×５５）＝（倍率）×（倍率）となるため、約４．４５倍で拡大することが望ましく、パーツを約４．４５倍で拡大した後の表示サイズで表示部２１０の共有画面に表示させる（ステップＳ１０７）。
【００９０】
なお、最小値については、最大値と同様の計算方法で算出することができるので、省略する。
【００９１】
このように、第１の実施の形態では、手元ツール１００とユーザとの距離と、共有画面とその共有画面を見ている最遠観察者との距離の比率を計算して、表示部１１０に表示されたパーツを計算された比率で拡大する。すなわち、ユーザが手元ツール１００を用いて表示部１１０上にパーツを作成したときの表示サイズとそのパーツを作成したときの距離Ｄ（図７）を勘案し、該距離が近い場合には表示部１１０上にパーツが小さく作成される傾向があり、該距離が遠い場合には表示部１１０上にパーツが大きく作成される傾向がある。したがって、パーツを作成したユーザによって見やすい大きさが異なるため、パーツを作成したユーザの見やすい大きさでパーツを拡大して、その拡大したパーツの表示サイズで共有画面に表示させることができる。
【００９２】
＜第２の実施の形態＞
上述した第１の実施の形態では、手元ツール１００とその操作者（ユーザ）との距離と、共有表示装置２００の共有画面からこの共有画面を見る人までの距離との比率に基づいて、共有表示装置２００の表示画面上でのパーツの表示サイズを調整して、表示サイズが適正サイズ範囲内にあるか否かを判断していた。第２の実施の形態では、以下に説明する閲覧者から共有表示装置２００の共有画面までの距離による距離サイズ変換表５００に従って、人と共有画面との距離から共有画面の表示サイズを計算して決定する。
【００９３】
図９は、閲覧者から共有画面までの距離を表示サイズに変換する例を示した距離サイズ変換表５００を示している。図９に示す距離サイズ変換表５００は、距離（ｍ）の欄と、サイズ（面積）ｍｍ２の欄を有している。これは、共有画面から離れた距離（メートル単位）に従って、名刺大サイズ（９１ｍｍ×５５ｍｍ）を等倍として計算したものである。ここでは、手元ツールの画面サイズが名刺大サイズ（９１ｍｍ×５５ｍｍ）とし、閲覧者が共有画面から１メートル離れたときに、共有画面に表示される表示サイズを名刺大サイズ（基準）とする。したがって、１ｍで、９１×５５＝５，００５ｍｍ２、２ｍで、（９１×２）×（５５×２）＝２０，０２０ｍｍ２、３ｍで、（９１×３）×（５５×３）＝４５，０４５ｍｍ２、４ｍで、（９１×４）×（５５×４）＝８０，０８０ｍｍ２、５ｍで、（９１×５）×（５５×５）＝１２５，１２５ｍｍ２…となっている。なお、図９で用いた数値は、固定値ではなく、ユーザが任意に設定することができる可変設定値であってもよい。また、手元ツール１００の画面サイズ（この場合では表示サイズ。）はそれぞれ異なるため、本実施の形態では名刺大サイズを基準とするが、これに限定されるものではない。
【００９４】
以下、図９に示す距離サイズ変換表５００を用いて、第２の実施の形態について、詳述する。
【００９５】
図１０は、第２の実施の形態に係る電子会議システム６００の動作の流れを示している。なお、図１０では、ステップＳ２０１からＳ２０７にて動作を説明しているが、第１の実施の形態に係る動作と異なる点は、ステップＳ２０２とステップＳ２０３であり、その他のステップでは第１の実施の形態と同一の処理を行っているため説明を省略し、ステップＳ２０２とステップＳ２０３について説明する。
【００９６】
ステップＳ２０２では、共有表示装置２００の表示部２１０（共有画面）から最遠観察者（一番離れた人）までの観察距離に基づいて、共有画面上でのパーツの表示サイズを計算する。具体的には、図９を用いて、人と共有画面との距離に応じた表示サイズを求める（ステップＳ２０２）。そして、この表示サイズでパーツが表示されるように、パーツのサイズ（拡大率）を調整する（ステップＳ２０３）。
【００９７】
パーツのサイズ調整は、共有画面上での表示サイズ（面積）と手元ツール１００でのパーツの長辺長さ・短辺長さとから倍率を求め、それに従って調整する。すなわち、倍率は、
（サイズ調整後の長辺長さ）＝平方根（面積×長辺長さ／短辺長さ）    ・・・（１）
（倍率）＝（サイズ調整後の長辺長さ）／（長辺長さ）    ・・・（２）
から、計算する。
【００９８】
上記の計算では、手元ツール１００上のパーツが正方形でも任意の長方形でも、共有画面上でのパーツの表示面積が観察距離に応じて定めた面積になるように倍率を定めている。
【００９９】
ここで、倍率の計算例を以下に示す。
【０１００】
たとえば、人（最遠観察者）と共有画面の距離が２ｍで、手元ツール１００の画面サイズ（手元ツール１００上のパーツサイズ）が９１ｍｍ×５５ｍｍとする。図９の距離サイズ変換表５００を用いると、共有画面上でのパーツの表示サイズは、２０，０２０ｍｍ２となる。この場合、共有画面上でのパーツの長辺の長さ（サイズ調整後の長辺の長さ）を求めると、式（１）より、
（サイズ調整後の長辺長さ）＝平方根（２０，０２０×９１／５５）＝１８２ｍｍ                                            ・・・（３）
ここから、長辺の倍率（拡大率）を求めると、式（２）より、
（倍率）＝１８２／９１＝２倍
従って、元のサイズを２倍に拡大して表示する。
【０１０１】
ステップＳ２０４からステップＳ２０６については、第１の実施の形態と同様に、予め設定された表示サイズの最大サイズ、最小サイズの判断と再調整を行う。なお、本実施の形態では、これに限らず、たとえば、ステップＳ２０２で表示サイズを計算したときに、最大サイズ、最小サイズの制限を考慮した表示サイズを予め設定しておいてもよい。具体的には、たとえば、上述した表示サイズの最大サイズを算出する場合と同様に、画面サイズの１０％を最大サイズとして設定して共有画面の最大サイズの面積を算出し、ステップＳ２０２で計算されたパーツの表示サイズが最大サイズを越える場合には、そのパーツの表示サイズに最大サイズを適用するようにしてもよい。
【０１０２】
また、ステップＳ２０３において、表示部１１０のパーツ（表示オブジェクト）全体に対して倍率を調整するようになっていたが、本実施の形態はこれに限らず、パーツの中の文字データを判別して、その文字データのみに対してサイズ調整を行うようにしてもよい。この場合、設定する表示サイズは、文字の表示サイズとなる。
【０１０３】
図１１は、共有画面までの距離と文字サイズとの対応関係を示す距離文字サイズ変換表５１０を示している。図１１に示す距離文字サイズ変換表５１０は、距離（ｍ）の欄と、文字サイズ＿縦（ｍｍ）の欄を有している。これは、共有画面から離れた距離（メートル単位）に従って、共有画面に表示される文字サイズの縦の寸法を変換するものである。すなわち、１ｍで１０ｍｍ、２ｍで２０ｍｍ、３ｍで３０ｍｍ、４ｍで４０ｍｍ、５ｍで５０ｍｍに縦方向の文字サイズを決定する。なお、横の寸法を決めてしまうと、縦横比が変化してしまうため、縦方向の長さのみ規定する。また、図１１で用いた数値は、固定値ではなく、ユーザが任意に設定することができる可変設定値であってもよい。
【０１０４】
たとえば、人と共有画面の距離が２ｍの場合、図１１に従うと、文字サイズは、縦２０ｍｍとなる。このサイズに合わせて文字サイズを調整して表示する。もし、元々の文字サイズが８ｍｍ×８ｍｍの文字を拡大する場合、拡大率は、２０／８＝２．５倍となる。したがって、手元ツール１００の表示部１１０に表示されていた文字データを２．５倍に拡大して、拡大された文字データのみを表示部２１０の共有画面に表示する。また、本実施の形態では、文字データのみの拡大に限定されず、文字のサイズから算出された拡大率を用いて、表示部１１０のパーツ全体を拡大するようにしてもよい。また、本実施の形態では、これは一文字ごとに計算して調整してもよく、単語単位や文章単位で調整してもよい。
【０１０５】
以上説明したように、上述した第１の実施の形態および第２の実施の形態では、データ加工送信装置１９０を含む共有表示装置２００は、手元ツール１００の表示部１１０のパーツをオブジェクト取得部１５０が取得し、共有表示装置２００の共有画面から閲覧する人までの距離を距離情報取得部１６０が取得し、この取得した距離に応じて表示比率決定部１７０が、表示部１１０での任意のパーツの表示サイズに対する表示部２１０での該任意のパーツの表示サイズの比率を決定する。
【０１０６】
したがって、共有表示装置２００の共有画面を閲覧する人は、共有表示装置２００から最遠観察者（一番遠い人）であっても、ユーザの手元の手元ツール１００で作成されたパーツが最適化されて共有表示装置２００の共有画面上に表示されるので、共有画面に表示されたパーツを見やすい表示サイズで見ることができる。
【０１０７】
また、第１の実施の形態では、ユーザが手元ツール１００を用いて表示部１１０上にパーツを作成したときの表示サイズとそのパーツを作成したときの距離を勘案して、パーツを作成したユーザの見やすい大きさで共有画面に表示させていたが、第２の実施の形態では、ユーザの手元ツール１００の表示サイズ（画面サイズ）を基準として、最遠観察者から共有画面までの距離に応じてパーツの表示サイズを変換し、変換されたパーツを共有画面に表示させることができる。
【０１０８】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１０９】
たとえば、第１の実施の形態および第２の実施の形態では、共有表示装置２００は、センサ２３１を表示部２１０の上部に１つ有していたが、本実施の形態はこれに限らず、複数のセンサを備えるようにしてもよい。
【０１１０】
図１２は、共有表示装置２００に２つのセンサが取りつけられた具体例を示している。図１２に示す共有表示装置２００は、表示部２１０の両側にセンサ２３２とセンサ２３３とを備えている。この場合、共有表示装置２００は、センサ２３２とセンサ２３３それぞれの最遠観察者（一番遠い人）までの距離を算出し、表示部２１０にパーツを表示する際に、共有画面上に表示する位置の近い方のセンサの拡大／縮小の比率を適用することができる。具体的には、たとえば、第１の実施の形態に適用した場合、ステップＳ１０１では、表示部２１０の共有画面を見ている複数の人物がおり、センサ２３２からの最遠観察者である第１最遠観察者までの距離と、センサ２３３からの最遠観察者である第２最遠観察者までの距離とをそれぞれ測定する。そして、第１最遠観察者とセンサ２３２との距離と、第２最遠観察者とセンサ２３３との距離が異なる場合に、第１最遠観察者と第２最遠観察者の遠い方の距離、すなわち一番遠い最遠観察者との距離に基づいて、ステップＳ１０２で、共有画面に表示される比率を計算する。これにより、一番遠い最遠観察者との距離に基づく比率によってパーツを拡大／縮小することにより、共有画面のどこにパーツを表示しても、誰からも見やすい最適な表示サイズでパーツを共有画面に表示させることができる。
【０１１１】
また、第１の実施の形態の場合と同様に、最遠観察者の観察距離だけではなく、全参加者の平均距離を適用するようにしてもよい。最遠観察者の観察距離を基準にすると共有画面の真正面にいる人には大きすぎることもあり、また、複数のセンサによって平均距離を算出することにより、観察距離のばらつきを抑えたより見やすい比率を算出することができる。なお、第２の実施の形態の場合にも同様に適用できる。
【０１１２】
また、たとえば、正弦定理を用いて三角測量を適用することにより、両センサから所定の最遠観察者までの３点を結ぶ３辺の距離を測定することができるので、その所定の最遠観察者の位置座標から表示部２１０の共有画面上に表示されるパーツの位置座標までの距離を算出することもできる。具体的には、センサ２３２とセンサ２３３とを結ぶ一辺の距離情報と、センサ２３２とセンサ２３３から捕捉されるその所定の最遠観察者の距離情報とから、上述の３辺の距離を測定する。この場合、センサ２３２とセンサ２３３のそれぞれからその所定の最遠観察者までの共有画面に対する角度（共有画面から最遠観察者までのそれぞれの角度）が確定するので、三角測量を用いて、センサ２３２とセンサ２３３と最遠観察者を結ぶ３辺の距離を算出することができる。この３辺の距離に基づいて、パーツを表示部２１０上に表示したときの表示位置から最遠観察者までの距離を算出することができるので、算出される最遠観察者までの距離情報に基づいて、第１の実施の形態および第２の実施の形態での距離の測定（ステップＳ１０１およびステップＳ２０１）を実施することができる。
【０１１３】
また、たとえば、第１の実施の形態と第２の実施の形態では、共有表示装置２００に設けられたセンサ２３１が複数の人の距離を算出することにより、最遠観察者までの距離を取得していたが、本実施の形態はこれに限らず、センサー部２３０を共有表示装置２００とは異なる別体に設け、このセンサー部２３０から共有画面と、センサー部２３０からメンバー４００までの距離と方向を測定することにより、共有画面からメンバー４００まで距離と方向を算出して、最遠観察者までの距離を取得するようにしてもよい。
【０１１４】
図１３は、センサー部２３０を別体に設けた場合の他の実施の形態を示している。図１３に示す他の実施の形態では、机３００の上にセンサ２３４が設けられている。センサ２３４は、センサ２３４から共有表示装置２００までの距離Ｌと方向、センサ２３４からメンバー４００までの距離Ｍと方向を測定している。この場合、センサ２３４は、距離Ｌと距離Ｍとそれぞれの方向を測定することにより、上述した三角測量を適用して、共有画面を有する共有表示装置２００からメンバー４００までの距離Ｎを算出することができる。
【０１１５】
また、たとえば、第１の実施の形態と第２の実施の形態では、共有表示装置２００に設けられたセンサー部２３０が最遠観察者の距離を算出するようになっていたが、本実施の形態はこれに限らず、最遠観察者の距離情報の代わりに、共有表示装置２００が設置されている室内の奥行きまたは椅子の配置位置までの距離情報を取得する形態であってもよい。
【０１１６】
また、たとえば、最遠観察者の距離情報の代わりに、共有表示装置２００から手元ツール１００までのデバイス距離情報を取得する形態であってもよい。この場合、たとえば、共有表示装置２００のセンサー部２３０が手元ツール１００までの距離を測定してもよく、手元ツール１００のセンサー部１４０が共有表示装置２００の表示部２１０までの距離を測定してもよい。また、手元ツール１００と共有表示装置２００との距離を測定する方法は、センサに限定されず、ＧＰＳ（Global Positioning System）を用いて、距離を算出する形態であってもよい。この場合、手元ツール１００にＧＰＳ機能を搭載したモジュールなどを組み込み、ＧＰＳ機能を利用するアプリケーションを使用することにより、実現することができる。ＧＰＳ機能を使うことにより、図５と図１０においてステップＳ１０１とＳ２０１の距離を測定する前に、手元ツール１００が共有表示装置２００と通信を行うことにより、手元ツール１００が会議に参加している端末か否かを判断することができ、会議に参加している端末と判断された手元ツール１００についてのみ、ステップＳ１０１およびステップＳ２０１で距離を測定することができる。これにより、会議への参加者のみを識別することが可能となり、たとえば、会議に関係ない人が会議スペースにいた場合でも、その人の影響を受けることなく、会議参加者との距離をより正確に測定することができる。
【０１１７】
また、たとえば、第１の実施の形態と第２の実施の形態において、表示データ送信部１８０は、作成したデータを共有表示装置２００に送信して任意のパーツを表示させ、共有表示装置２００に表示されたそのパーツごとに、さらに表示されたそのパーツを拡大または縮小するための指示を、手元ツール１００を操作するユーザから受け付けるようにしてもよい。この場合、ユーザは、共有表示装置２００の共有画面にパーツを表示させながら、手元ツール１００の操作部１３０を操作することにより、パーツを見やすい表示サイズに拡大／縮小することができる。
【０１１８】
また、たとえば、第１の実施の形態と第２の実施の形態において、表示データ送信部１８０は、作成したデータを共有表示装置２００に送信して任意のパーツを表示させ、手元ツール１００ごとに、その手元ツール１００が共有表示装置２００に表示させたそのパーツを拡大または縮小するための指示を、手元ツール１００を操作するユーザから受け付けるようにしてもよい。この場合も同様に、ユーザは、共有表示装置２００の共有画面にパーツを表示させながら、手元ツール１００の操作部１３０を操作することにより、見やすい表示サイズにパーツを拡大／縮小することができる。たとえば、拡大／縮小の操作を受けると、その操作を受ける前に表示されたパーツを含めてその手元ツール１００から表示させた複数のパーツのすべてが拡大／縮小される。なお、拡大／縮小の操作を受けた後にその手元ツール１００から表示されるパーツについても、先ほど操作された拡大縮小率を適用して表示するようにしてもよい。すなわち、拡大／縮小の操作を受けたとき、それ以前に表示されたパーツのみに、あるいはそれ以後に表示されたパーツのみに、あるいは前後を問わずその手元ツール１００から表示されたすべてのパーツに対して、拡大縮小率を適用してもよい。
【０１１９】
また、たとえば、第１の実施の形態と第２の実施の形態において、データ加工送信装置１９０は、表示部２１０の共有画面に表示するためのパーツのデータを送信していたが、このデータは、手元ツール１００の表示部１１０に表示されたパーツを拡大または縮小するための比率に関する情報であってもよく、また、手元ツール１００の表示部１１０に表示されたパーツを拡大または縮小した後の表示サイズのデータや拡大または縮小したパーツのデータであってもよい。
【０１２０】
また、第１の実施の形態では、共有表示装置２００に設けられた共有画面と人との距離と、手元ツール１００とその操作者との距離に基づいて、手元ツール１００の表示部１１０に表示されたパーツを拡大処理または縮小処理する比率を算出していたが、本実施の形態はこれに限定されるものではない。たとえば、手元ツール１００の表示部１１０の表示サイズを所定の表示サイズに決定して、共有表示装置２００の共有画面と人との距離のみに応じて、共有画面に表示されるパーツの表示サイズの比率を計算するようにしてもよい。この場合、手元ツール１００とその操作者との距離の差異によるパーツの表示サイズの視覚的影響は少ないと考えられるので、手元ツール１００の表示部１１０のパーツの表示サイズを固定値として扱い、共有表示装置２００の共有画面と人との距離のみで共有画面に表示されるパーツの表示サイズの比率を計算してもよい。この場合、比率の計算方法が簡略化されるとともに、手元ツール１００のセンサー部１４０を設けなくてもよいため、手元ツール１００の回路構成の簡略化と手元ツール１００全体の軽量化を図ることができる。
【０１２１】
また、たとえば、本実施の形態はこれらに限らず、表示部２１０に他のファイルが投影されており、その上から重ねるようにパーツが表示される形態であってもよく、また白紙の状態から会議参加者のコメントを追加して順次付加する形態であってもよい。
【０１２２】
また、第１の実施の形態および第２の実施の形態では、手元ツール１００の表示部１１０の１画面の表示内容全体を１つのパーツとしたが、本実施の形態はこれに限らず、個々のオブジェクトをパーツとして扱ってもよい。
【符号の説明】
【０１２３】
Ｄ…距離情報
Ｌ…距離情報
Ｍ…距離情報
Ｎ…距離情報
１００…手元ツール（情報処理装置）
１１０…表示部
１２０…通信部
１３０…操作部
１４０…センサー部
１４１…センサ
１５０…オブジェクト取得部
１６０…距離情報取得部
１７０…表示比率決定部
１８０…表示データ送信部
１９０…データ加工送信装置
２００…共有表示装置
２１０…表示部
２２０…通信部
２３０…センサー部
２３１…センサ
２３２…センサ
２３３…センサ
２３４…センサ
２４０…画像処理部
２５０…文字判別部
３００…机
４００…メンバー
５００…距離サイズ変換表
５１０…距離文字サイズ変換表
６００…電子会議システム
【図１】
0005741821.tif 000002
【図２】
0005741821.tif 000003
【図３】
0005741821.tif 000004
【図４】
0005741821.tif 000005
【図５】
0005741821.tif 000006
【図６】
0005741821.tif 000007
【図７】
0005741821.tif 000008
【図８】
0005741821.tif 000009
【図９】
0005741821.tif 000010
【図１０】
0005741821.tif 000011
【図１１】
0005741821.tif 000012
【図１２】
0005741821.tif 000013
【図１３】
0005741821.tif 000014